(57)【要約】【課題】給湯端末に供給される温水の温度の変動を抑える。【解決手段】給湯装置では、貯湯タンクの中間流出部（第２流出部）から流出した温水と給水源から給水される水とが第１混合弁において混合された後、第２混合弁において貯湯タンクの上部流出部（第１流出部）から流出した温水と混合されて、第１給湯端末に供給される。給湯装置の判断手段は、第１給湯端末への温水供給流量に基づいて、中間流出部から流出した温水が第１混合弁を通過するのを許可するか否かを判断する。給湯装置の制御手段は、給湯端末への給湯中に、判断手段において中間流出部から流出した温水の第１混合弁の通過を許可しないと判断された場合、中間流出部から流出した温水の第１混合弁の通過量を減少させるように第１混合弁を制御する。【選択図】図３
2011158161.tif 000002
【特許請求の範囲】
【請求項１】
温水を加熱する加熱手段と、
前記加熱手段で加熱された温水を貯留する貯湯タンクと、
前記貯湯タンクの上部から温水を流出する第１流出部と、
前記貯湯タンクの中間部から温水を流出する第２流出部と、
前記第２流出部から流出した温水と給水源から給水される水とを混合する第１混合弁と、
前記第１混合弁で混合された温水と前記第１流出部から流出した温水とを混合する第２混合弁と、
前記第２混合弁で混合された温水が供給される第１給湯端末と、
前記第１給湯端末への温水供給流量に基づいて、前記第２流出部から流出した温水が前記第１混合弁を通過するのを許可するか否かを判断する判断手段と、
前記第１混合弁及び前記第２混合弁を制御する制御手段とを備え、
前記制御手段は、前記判断手段において、前記第２流出部から流出した温水の前記第１混合弁の通過を許可しないと判断された場合、前記第２流出部から流出した温水の前記第１混合弁の通過量を減少させるように前記第１混合弁を制御することを特徴とする給湯装置。
【請求項２】
前記第２混合弁の前記給水源側には、前記給水源から第２混合弁に向かう方向にだけ水が流れる逆止弁が設けられていることを特徴とする請求項１に記載の給湯装置。
【請求項３】
前記貯湯タンクから温水を流出する第３流出部と、
前記第３流出部から流出した温水が供給される第２給湯端末とを備えることを特徴とする請求項１又は２に記載の給湯装置。
【請求項４】
温水を加熱する加熱手段と、
前記加熱手段で加熱された温水を貯留する貯湯タンクと、
前記貯湯タンクの上部から温水を流出する第１流出部と、
前記貯湯タンクの中間部から温水を流出する第２流出部と、
前記第１流出部から流出した温水と前記第２流出部から流出した温水とを混合する第１混合弁と、
前記第１混合弁で混合された温水と給水源から供給される水とを混合する第２混合弁と、
前記第２混合弁で混合された温水が供給される第１給湯端末と、
前記第１給湯端末への温水供給流量に基づいて、前記第２流出部から流出した温水が前記第１混合弁を通過するのを許可するか否かを判断する判断手段と、
前記第１混合弁及び前記第２混合弁を制御する制御手段とを備え、
前記制御手段は、前記判断手段において、前記第２流出部から流出した温水の前記第１混合弁の通過を許可しないと判断された場合、前記第２流出部から流出した温水の前記第１混合弁の通過量を減少させるように前記第１混合弁を制御することを特徴とする給湯装置。
【請求項５】
前記制御手段は、前記判断手段において、前記第２流出部から流出した温水の前記第１混合弁の通過を許可しないと判断された場合、前記第１混合弁を前記給水源側全開状態とすることを特徴とする請求項１〜４の何れかに記載の給湯装置。
【請求項６】
前記判断手段は、前記第１給湯端末への温水供給流量が所定量以下である場合に、前記第２流出部から流出した温水の前記第１混合弁の通過を許可しないと判断し、前記第１給湯端末への温水供給流量が所定量よりも大きい場合に、前記第２流出部から流出した温水の前記第１混合弁の通過を許可すると判断することを特徴とする請求項１〜５の何れかに記載の給湯装置。
【請求項７】
前記制御手段は、前記第１給湯端末への温水供給時に、前記判断手段において前記第２流出部から流出した温水の前記第１混合弁の通過を許可しないと判断されて、前記第２流出部から流出した温水の前記第１混合弁の通過量を減少させるように前記第１混合弁を制御した後、その温水供給中に、前記判断手段において前記第２流出部から流出した温水の前記第１混合弁の通過を許可すると判断されても、その温水供給が継続されている間は、前記第１混合弁の開度を維持することを特徴とする請求項１〜６の何れかに記載の給湯装置。
【請求項８】
温水を加熱する加熱手段と、
前記加熱手段で加熱された温水を貯留する貯湯タンクと、
前記貯湯タンクの上部から温水を流出する第１流出部と、
前記貯湯タンクの中間部から温水を流出する第２流出部と、
前記貯湯タンクから温水を流出する第３流出部と、
前記第２流出部から流出した温水と給水源から給水される水とを混合する第１混合弁と、
前記第１混合弁で混合された温水と前記第１流出部から流出した温水とを混合する第２混合弁と、
前記第２混合弁で混合された温水が供給される第１給湯端末と、
前記第３流出部から流出した温水が供給される第２給湯端末と、
前記第２給湯端末への温水供給流量に基づいて、前記第２流出部から流出した温水が前記第１混合弁を通過するのを許可するか否かを判断する判断手段と、
前記第１混合弁及び前記第２混合弁を制御する制御手段とを備え、
前記制御手段は、前記判断手段において、前記第２流出部から流出した温水の前記第１混合弁の通過を許可しないと判断された場合、前記第２流出部から流出した温水の前記第１混合弁の通過量を減少させるように前記第１混合弁を制御することを特徴とする給湯装置。
【請求項９】
前記制御手段は、前記判断手段において、前記第２流出部から流出した温水の前記第１混合弁の通過を許可しないと判断された場合、前記第１混合弁を前記給水源側全開状態とすることを特徴とする請求項８に記載の給湯装置。
【請求項１０】
前記判断手段は、前記第２給湯端末への温水供給流量の単位時間あたりの減少量が所定量以上である場合に、前記第２流出部から流出した温水の前記第１混合弁の通過を許可しないと判断することを特徴とする請求項８又は９に記載の給湯装置。
【請求項１１】
前記判断手段が、前記第１給湯端末への温水供給流量に基づいて、前記第２流出部から流出した温水が前記第１混合弁を通過するのを許可するか否かを判断することを特徴とする請求項８〜１０の何れかに記載の給湯装置。
【請求項１２】
前記第２混合弁の前記給水源側には、前記給水源から第２混合弁に向かう方向にだけ水が流れる逆止弁が設けられていることを特徴とする請求項１１に記載の給湯装置。
【請求項１３】
前記制御手段は、前記制御手段は、前記第１給湯端末への温水供給時に、前記判断手段において前記第２流出部から流出した温水の前記第１混合弁の通過を許可しないと判断されて、前記第２流出部から流出した温水の前記第１混合弁の通過量を減少させるように前記第１混合弁を制御した後、その温水供給中に、前記判断手段において前記第２流出部から流出した温水の前記第１混合弁の通過を許可すると判断されても、その温水供給が継続されている間は、前記第１混合弁の開度を維持することを特徴とする請求項８〜１２の何れかに記載の給湯装置。
【請求項１４】
前記第３流出部は、前記貯湯タンクの上部に設けられており、
前記第３流出部から流出した温水と給水源から供給される水とを混合する第３混合弁を備え、
前記第２給湯端末は、前記第３混合弁により混合された温水が供給され、
前記制御手段は、前記第１混合弁及び前記第２混合弁の制御に加えて、前記第３混合弁の制御も行うことを特徴とする請求項２及び請求項８〜１３の何れかに記載の給湯装置。
【発明の詳細な説明】
【技術分野】
【０００１】
本発明は、貯湯タンクの中間部から流出する温水を給湯に使用する給湯装置に関する。
【背景技術】
【０００２】
従来から、給湯装置として、貯湯タンクの上部から取り出した温水と給水源から供給された水とを混合して給湯端末に供給するものがある。このような給湯装置においては、通常は、貯湯タンク内の温水の温度は、上部が高温で、下部が低温で、中間部がその中間の温度となっている。
【０００３】
また、この給湯装置では、熱効率を向上させるために、貯湯タンクの中間部から温水を取り出して、給湯に利用する給湯装置が提案されている。具体的には、貯湯タンクの中間部から取り出した温水と給水源から供給された水とを第１混合弁で混合した後、この混合された温水と貯湯タンクの上部から取り出した温水とを第２混合弁で混合して給湯端末に供給する給湯装置がある（例えば、特許文献１参照）。
【先行技術文献】
【特許文献】
【０００４】
【特許文献１】特開２００６−２２６５９３号公報
【発明の概要】
【発明が解決しようとする課題】
【０００５】
しかしながら、上述した給湯装置では、給湯端末に供給される温水の流量の変動によって、給湯端末に供給される温水の温度が変動するという問題がある。例えば、第１混合弁よりも給水源側に逆止弁が配置された給湯装置において、給湯端末に供給される温水の流量がかなり少なくなった場合、給水源から逆止弁に流入する水の流量もかなり少なくなるため、逆止弁を完全に開弁させることができず、逆止弁を通過する水の流量がさらに少なくなることがある。この場合、第１混合弁の開度が一定であっても、給水源から供給される水の割合が減少するように混合比率が変動して、第１混合弁により混合された温水の温度が上昇し、その結果、給湯端末に供給される温水の温度が上昇するという問題が生じる。
【０００６】
また、上述した給湯装置は、貯湯タンクに、上述した上部流出部及び中間流出部以外に別の流出部（以下、第３流出部という）が設けられており、第２混合弁で混合された温水が供給される給湯端末（以下、第１給湯端末という）とは別の給湯端末（以下、第２給湯端末という）に、第３流出部から流出した温水が供給されるように構成されている場合がある。
この給湯装置では、第１給湯端末への給湯中に、第２給湯端末に供給される温水の流量が減少した場合、貯湯タンクから第３流出部を介して流出する流量が減少することにより、貯湯タンクから中間流出部及び上部流出部を介して流出する流量が増加することがある。そして、中間流出部から流出する流量が増加すると、第１混合弁の開度が一定であっても、第１混合弁において中間流出部から流出した温水の割合が増加し、第１混合弁により混合された温水の温度が上昇するという問題が生じる。
【０００７】
そこで、この発明は、上記のような課題を解決するためになされたものであり、給湯端末に供給される温水の温度の変動を抑えることができる給湯装置を提供することを目的とする。
【課題を解決するための手段】
【０００８】
上記課題を解決するために、第１の発明に係る給湯装置は、温水を加熱する加熱手段と、前記加熱手段で加熱された温水を貯留する貯湯タンクと、前記貯湯タンクの上部から温水を流出する第１流出部と、前記貯湯タンクの中間部から温水を流出する第２流出部と、前記第２流出部から流出した温水と給水源から給水される水とを混合する第１混合弁と、前記第１混合弁で混合された温水と前記第１流出部から流出した温水とを混合する第２混合弁と、前記第２混合弁で混合された温水が供給される第１給湯端末と、前記第１給湯端末への温水供給流量に基づいて、前記第２流出部から流出した温水が前記第１混合弁を通過するのを許可するか否かを判断する判断手段と、前記第１混合弁及び前記第２混合弁を制御する制御手段とを備え、前記制御手段は、前記判断手段において、前記第２流出部から流出した温水の前記第１混合弁の通過を許可しないと判断された場合、前記第２流出部から流出した温水の前記第１混合弁の通過量を減少させるように前記第１混合弁を制御することを特徴とする。
【０００９】
この給湯装置では、第１給湯端末への温水供給流量に応じて、第１混合弁は第２流出部から流出した温水の通過量を減少させるように切り換えられる。第１混合弁よりも給水源側に逆止弁が配置されている場合、第１給湯端末への温水供給流量が低流量のときに第１混合弁を上述したように切り換えることにより、逆止弁を完全に開弁させることができないほど第１給湯端末への温水供給流量が減少しても、第１混合弁により混合された温水の温度が変動するのを抑制することができる。そのため、第１給湯端末に供給される温水の温度の変動を抑制することができる。
また、第１給湯端末への温水供給流量が低流量のときに第１混合弁を上述したように切り換えることにより、第１混合弁の制御を精度良く行うことが困難になるほど第１給湯端末への温水供給流量が少なくても、第１混合弁により混合された温水の温度の変動を抑制することができる。
【００１０】
第２の発明に係る給湯装置は、第１の発明に係る給湯装置において、前記第２混合弁の前記給水源側には、前記給水源から第２混合弁に向かう方向にだけ水が流れる逆止弁が設けられていることを特徴とする。
【００１１】
この給湯装置では、逆止弁を完全に開弁させることができないほど第１給湯端末への温水供給流量が減少しても、第１混合弁により混合された温水の温度が変動するのを抑制することができる。
【００１２】
第３の発明に係る給湯装置は、第１又は第２の発明に係る給湯装置において、前記貯湯タンクから温水を流出する第３流出部と、前記第３流出部から流出した温水が供給される第２給湯端末とを備えることを特徴とする。
【００１３】
この給湯装置では、貯湯タンク内の温水を第１給湯端末に加えて第２給湯端末に供給できると共に、第１給湯端末に供給される温水の温度の変動を抑制することができる。
【００１４】
第４の発明に係る給湯装置は、温水を加熱する加熱手段と、前記加熱手段で加熱された温水を貯留する貯湯タンクと、前記貯湯タンクの上部から温水を流出する第１流出部と、前記貯湯タンクの中間部から温水を流出する第２流出部と、前記第１流出部から流出した温水と前記第２流出部から流出した温水とを混合する第１混合弁と、前記第１混合弁で混合された温水と給水源から供給される水とを混合する第２混合弁と、前記第２混合弁で混合された温水が供給される第１給湯端末と、前記第１給湯端末への温水供給流量に基づいて、前記第２流出部から流出した温水が前記第１混合弁を通過するのを許可するか否かを判断する判断手段と、前記第１混合弁及び前記第２混合弁を制御する制御手段とを備え、前記制御手段は、前記判断手段において、前記第２流出部から流出した温水の前記第１混合弁の通過を許可しないと判断された場合、前記第２流出部から流出した温水の前記第１混合弁の通過量を減少させるように前記第１混合弁を制御することを特徴とする。
【００１５】
この給湯装置では、第１給湯端末への温水供給流量が低流量のときに第１混合弁を第２流出部から流出した温水の通過量を減少させるように切り換えることにより、第１混合弁の制御を精度良く行うことが困難になるほど第１給湯端末への温水供給流量が少なくても、第１混合弁により混合された温水の温度が変動するのを抑制することができる。そのため、第１給湯端末に供給される温水の温度の変動を抑制することができる。
【００１６】
第５の発明に係る給湯装置は、第１〜第４の何れかの発明に係る給湯装置において、前記制御手段は、前記判断手段において、前記第２流出部から流出した温水の前記第１混合弁の通過を許可しないと判断された場合、前記第１混合弁を前記給水源側全開状態とする。
【００１７】
この給湯装置では、判断手段が第２流出部から流出した温水の第１混合弁の通過を許可しないと判断した場合に、第１混合弁は、給水源側全開状態に切り換えられるため、第１混合弁で混合された温水の温度の変動を確実に抑制することができる。
【００１８】
第６の発明に係る給湯装置は、第１〜第５の何れかの発明に係る給湯装置において、前記判断手段は、前記第１給湯端末への温水供給流量が所定量以下である場合に、前記第２流出部から流出した温水の前記第１混合弁の通過を許可しないと判断し、前記第１給湯端末への温水供給流量が所定量よりも大きい場合に、前記第２流出部から流出した温水の前記第１混合弁の通過を許可すると判断することを特徴とする。
【００１９】
この給湯装置では、第１給湯端末への温水供給流量が所定量以下の場合に、第１混合弁は第２流出部から流出した温水の通過量を減少させるように切り換えられる。そのため、第１混合弁よりも給水源側に逆止弁が配置されている場合、逆止弁を完全に開弁させることができないほど第１給湯端末への温水供給流量が減少しても、第１混合弁により混合された温水の温度の変動を抑制することができる。また、第１混合弁の制御を精度良く行うことが困難になるほど第１給湯端末への温水供給流量が少なくても、第１混合弁により混合された温水の温度が変動するのを抑制することができる。
【００２０】
第７の発明に係る給湯装置は、第１〜第６の何れかの発明に係る給湯装置において、前記制御手段は、前記第１給湯端末への温水供給時に、前記判断手段において前記第２流出部から流出した温水の前記第１混合弁の通過を許可しないと判断されて、前記第２流出部から流出した温水の前記第１混合弁の通過量を減少させるように前記第１混合弁を制御した後、その温水供給中に、前記判断手段において前記第２流出部から流出した温水の前記第１混合弁の通過を許可すると判断されても、その温水供給が継続されている間は、前記第１混合弁の開度を維持することを特徴とする。
【００２１】
この給湯装置では、給湯中に判断手段による判断が変化しても、第１混合弁の開度を維持することにより、給湯途中に第１混合弁の開度を変化させた場合に生じる温度変動を防止することができる。
【００２２】
第８の発明に係る給湯装置は、温水を加熱する加熱手段と、前記加熱手段で加熱された温水を貯留する貯湯タンクと、前記貯湯タンクの上部から温水を流出する第１流出部と、前記貯湯タンクの中間部から温水を流出する第２流出部と、前記貯湯タンクから温水を流出する第３流出部と、前記第２流出部から流出した温水と給水源から給水される水とを混合する第１混合弁と、前記第１混合弁で混合された温水と前記第１流出部から流出した温水とを混合する第２混合弁と、前記第２混合弁で混合された温水が供給される第１給湯端末と、前記第３流出部から流出した温水が供給される第２給湯端末と、前記第２給湯端末への温水供給流量に基づいて、前記第２流出部から流出した温水が前記第１混合弁を通過するのを許可するか否かを判断する判断手段と、前記第１混合弁及び前記第２混合弁を制御する制御手段とを備え、前記制御手段は、前記判断手段において、前記第２流出部から流出した温水の前記第１混合弁の通過を許可しないと判断された場合、前記第２流出部から流出した温水の前記第１混合弁の通過量を減少させるように前記第１混合弁を制御することを特徴とする。
【００２３】
この給湯装置では、第２給湯端末への温水供給流量が減少すると、第３流出部から流出する温水の流量が減少するため、第２流出部から流出する流量が増加する。第２給湯端末への温水供給流量が減少したときに、第１混合弁を第２流出部から流出した温水の通過量を減少させるように切り換えることにより、第２給湯端末への温水供給流量の減少に起因して、第１混合弁で混合された温水の温度が変動するのを抑制することができる。そのため、第１給湯端末に供給される温水の温度の変動を抑制することができる。
【００２４】
第９の発明に係る給湯装置は、第８の発明に係る給湯装置において、前記制御手段は、前記判断手段において、前記第２流出部から流出した温水の前記第１混合弁の通過を許可しないと判断された場合、前記第１混合弁を前記給水源側全開状態とすることを特徴とする。
【００２５】
この給湯装置では、第１混合弁が給水源側全開状態に切り換えられることにより、第１混合弁で混合された温水の温度の変動を確実に抑制することができる。
【００２６】
第１０の発明に係る給湯装置は、第８又は第９の発明に係る給湯装置において、前記判断手段は、前記第２給湯端末への温水供給流量の単位時間あたりの減少量が所定量以上である場合に、前記第２流出部から流出した温水の前記第１混合弁の通過を許可しないと判断することを特徴とする。
【００２７】
この給湯装置では、第２給湯端末への温水供給流量の単位時間あたりの減少量が所定量以上である場合に、第１混合弁は第２流出部から流出した温水の通過量を減少させるように切り換えられる。そのため、第２給湯端末への温水供給流量の減少に起因して、第１混合弁で混合された温水の温度が変動するのを抑制することができる。
【００２８】
第１１の発明に係る給湯装置は、第８〜第１０の何れかの発明に係る給湯装置において、前記判断手段が、前記第１給湯端末への温水供給流量に基づいて、前記第２流出部から流出した温水が前記第１混合弁を通過するのを許可するか否かを判断することを特徴とする。
【００２９】
この給湯装置では、判断手段は、第２給湯端末への温水供給流量に基づいた判断に加えて、第１給湯端末への温水供給流量に基づいた判断を行う。第１混合弁よりも給水源側に逆止弁が配置されている場合、第１給湯端末への温水供給流量が低流量のときに第１混合弁を第２流出部から流出した温水の通過量を減少させるように切り換えることにより、逆止弁を完全に開弁させることができないほど第１給湯端末への温水供給流量が減少しても、第１混合弁により混合された温水の温度が変動するのを抑制することができる。また、第１給湯端末への温水供給流量が低流量のときに第１混合弁を上述したように切り換えることにより、第１混合弁の制御を精度良く行うことが困難になるほど第１給湯端末への温水供給流量が少なくても、第１混合弁により混合された温水の温度の変動を抑制することができる。
【００３０】
第１２の発明に係る給湯装置は、第１１の発明に係る給湯装置において、前記第２混合弁の前記給水源側には、前記給水源から第２混合弁に向かう方向にだけ水が流れる逆止弁が設けられていることを特徴とする。
【００３１】
この給湯装置では、逆止弁を完全に開弁させることができないほど第１給湯端末への温水供給流量が減少しても、第１混合弁により混合された温水の温度が変動するのを抑制することができる。
【００３２】
第１３の発明に係る給湯装置は、第８〜１２の何れかの発明に係る給湯装置において、前記制御手段は、前記制御手段は、前記第１給湯端末への温水供給時に、前記判断手段において前記第２流出部から流出した温水の前記第１混合弁の通過を許可しないと判断されて、前記第２流出部から流出した温水の前記第１混合弁の通過量を減少させるように前記第１混合弁を制御した後、その温水供給中に、前記判断手段において前記第２流出部から流出した温水の前記第１混合弁の通過を許可すると判断されても、その温水供給が継続されている間は、前記第１混合弁の開度を維持することを特徴とする。
【００３３】
この給湯装置では、給湯中に判断手段による判断が変化しても、第１混合弁の開度を維持することにより、給湯途中に第１混合弁の開度を変化させた場合に生じる温度変動を防止することができる。
【００３４】
第１４の発明に係る給湯装置は、第２及び第８〜１２の何れかの発明に係る給湯装置において、前記第３流出部は、前記貯湯タンクの上部に設けられており、前記第３流出部から流出した温水と給水源から供給される水とを混合する第３混合弁を備え、前記第２給湯端末は、前記第３混合弁により混合された温水が供給され、前記制御手段は、前記第１混合弁及び前記第２混合弁の制御に加えて、前記第３混合弁の制御も行うことを特徴とする。
【００３５】
この給湯装置では、貯湯タンクの上部に設けられた第３流出部から流出した温水と、給水源から供給される水とを第３混合弁において混合して第２給湯端末に供給しているため、第２給湯端末に供給する温水の温度を調整することができる。
【発明の効果】
【００３６】
以上の説明に述べたように、本発明によれば、以下の効果が得られる。
【００３７】
第１の発明では、第１給湯端末への温水供給流量に応じて、第１混合弁は第２流出部から流出した温水の通過量を減少させるように切り換えられる。第１混合弁よりも給水源側に逆止弁が配置されている場合、第１給湯端末への温水供給流量が低流量のときに第１混合弁を上述したように切り換えることにより、逆止弁を完全に開弁させることができないほど第１給湯端末への温水供給流量が減少しても、第１混合弁により混合された温水の温度が変動するのを抑制することができる。そのため、第１給湯端末に供給される温水の温度の変動を抑制することができる。
また、第１給湯端末への温水供給流量が低流量のときに第１混合弁を上述したように切り換えることにより、第１混合弁の制御を精度良く行うことが困難になるほど第１給湯端末への温水供給流量が少なくても、第１混合弁により混合された温水の温度の変動を抑制することができる。
【００３８】
第２の発明では、逆止弁を完全に開弁させることができないほど第１給湯端末への温水供給流量が減少しても、第１混合弁により混合された温水の温度が変動するのを抑制することができる。
【００３９】
第３の発明では、貯湯タンク内の温水を第１給湯端末に加えて第２給湯端末に供給できると共に、第１給湯端末に供給される温水の温度の変動を抑制することができる。
【００４０】
第４の発明では、第１給湯端末への温水供給流量が低流量のときに第１混合弁を第２流出部から流出した温水の通過量を減少させるように切り換えることにより、第１混合弁の制御を精度良く行うことが困難になるほど第１給湯端末への温水供給流量が少なくても、第１混合弁により混合された温水の温度が変動するのを抑制することができる。そのため、第１給湯端末に供給される温水の温度の変動を抑制することができる。
【００４１】
第５の発明では、判断手段が第２流出部から流出した温水の第１混合弁の通過を許可しないと判断した場合に、第１混合弁は、給水源側全開状態に切り換えられるため、第１混合弁で混合された温水の温度の変動を確実に抑制することができる。
【００４２】
第６の発明では、第１給湯端末への温水供給流量が所定量以下の場合に、第１混合弁は第２流出部から流出した温水の通過量を減少させるように切り換えられる。そのため、第１混合弁よりも給水源側に逆止弁が配置されている場合、逆止弁を完全に開弁させることができないほど第１給湯端末への温水供給流量が減少しても、第１混合弁により混合された温水の温度の変動を抑制することができる。また、第１混合弁の制御を精度良く行うことが困難になるほど第１給湯端末への温水供給流量が少なくても、第１混合弁により混合された温水の温度が変動するのを抑制することができる。
【００４３】
第７の発明では、給湯中に判断手段による判断が変化しても、第１混合弁の開度を維持することにより、給湯途中に第１混合弁の開度を変化させた場合に生じる温度変動を防止することができる。
【００４４】
第８の発明では、第２給湯端末への温水供給流量が減少すると、第３流出部から流出する温水の流量が減少するため、第２流出部から流出する流量が増加する。第２給湯端末への温水供給流量が減少したときに、第１混合弁を第２流出部から流出した温水の通過量を減少させるように切り換えることにより、第２給湯端末への温水供給流量の減少に起因して、第１混合弁で混合された温水の温度が変動するのを抑制することができる。そのため、第１給湯端末に供給される温水の温度の変動を抑制することができる。
【００４５】
第９の発明では、第１混合弁が給水源側全開状態に切り換えられることにより、第１混合弁で混合された温水の温度の変動を確実に抑制することができる。
【００４６】
第１０の発明では、第２給湯端末への温水供給流量の単位時間あたりの減少量が所定量以上である場合に、第１混合弁は第２流出部から流出した温水の通過量を減少させるように切り換えられる。そのため、第２給湯端末への温水供給流量の減少に起因して、第１混合弁で混合された温水の温度が変動するのを抑制することができる。
【００４７】
第１１の発明では、判断手段は、第２給湯端末への温水供給流量に基づいた判断に加えて、第１給湯端末への温水供給流量に基づいた判断を行う。第１混合弁よりも給水源側に逆止弁が配置されている場合、第１給湯端末への温水供給流量が低流量のときに第１混合弁を第２流出部から流出した温水の通過量を減少させるように切り換えることにより、逆止弁を完全に開弁させることができないほど第１給湯端末への温水供給流量が減少しても、第１混合弁により混合された温水の温度が変動するのを抑制することができる。また、第１給湯端末への温水供給流量が低流量のときに第１混合弁を上述したように切り換えることにより、第１混合弁の制御を精度良く行うことが困難になるほど第１給湯端末への温水供給流量が少なくても、第１混合弁により混合された温水の温度の変動を抑制することができる。
【００４８】
第１２の発明では、逆止弁を完全に開弁させることができないほど第１給湯端末への温水供給流量が減少しても、第１混合弁により混合された温水の温度が変動するのを抑制することができる。
【００４９】
第１３の発明では、給湯中に判断手段による判断が変化しても、第１混合弁の開度を維持することにより、給湯途中に第１混合弁の開度を変化させた場合に生じる温度変動を防止することができる。
【００５０】
第１４の発明では、貯湯タンクの上部に設けられた第３流出部から流出した温水と、給水源から供給される水とを第３混合弁において混合して第２給湯端末に供給しているため、第２給湯端末に供給する温水の温度を調整することができる。
【図面の簡単な説明】
【００５１】
【図１】本発明の第１実施形態に係る給湯装置の配管系統図である。
【図２】給湯装置のブロック図である。
【図３】第１混合弁制御部（制御手段）の処理手順を示すフローチャートである。
【図４】給湯運転時の処理手順を示すフローチャートである。
【図５】本発明の第２実施形態に係る給湯装置の配管系統図である。
【図６】本発明の第３実施形態に係る給湯装置の配管系統図である。
【図７】（ａ）は、第１実施形態の給湯装置の模式図である。（ｂ）〜（ｆ）は、貯湯タンクの異なる２ヵ所の間で形成される回路を示した図である。
【図８】（ａ）は、第１実施形態の変形例１の給湯装置の模式図である。（ｂ）〜（ｆ）は、貯湯タンクの異なる２ヵ所の間で形成される回路を示した図である。
【図９】（ａ）は、第１実施形態の変形例２の給湯装置の模式図である。（ｂ）〜（ｆ）は、貯湯タンクの異なる２ヵ所の間で形成される回路を示した図である。
【図１０】（ａ）は、第１実施形態の変形例３の給湯装置の模式図である。（ｂ）〜（ｆ）は、貯湯タンクの異なる２ヵ所の間で形成される回路を示した図である。
【図１１】（ａ）は、第１実施形態の変形例４の給湯装置の模式図である。（ｂ）〜（ｄ）は、貯湯タンクの異なる２ヵ所の間で形成される回路を示した図である。
【図１２】（ａ）は、第２実施形態の給湯装置の模式図である。（ｂ）〜（ｆ）は、貯湯タンクの異なる２ヵ所の間で形成される回路を示した図である。
【発明を実施するための形態】
【００５２】
以下、本発明に係る給湯装置の第１の実施の形態について説明する。
【００５３】
＜給湯装置の構成＞
図１に示すように、第１実施形態の給湯装置１は、カラン（第１給湯端末）Ａと、シャワー（第１給湯端末）Ｂと風呂（第２給湯端末）Ｃとに温水を供給する装置であって、ヒートポンプユニット（加熱手段）２と、貯湯タンク２０を有する貯湯ユニット３と、リモコン５（図２参照）と、制御部４とを備えている。なお、以下の説明において、カランＡとシャワーＢと風呂Ｃとを総称して「給湯端末」という。
【００５４】
［ヒートポンプユニット］
ヒートポンプユニット２は、貯湯タンク２０内の温水を加熱するためのものである。ヒートポンプユニット２は、冷媒回路１０を有しており、この冷媒回路１０は、圧縮機１１と、水熱交換器１２と、電動膨張弁１３と、空気熱交換器１４と、これらを環状に接続する冷媒配管１５とを備えている。また、冷媒回路１０は、水熱交換器１２から出る高温高圧の冷媒と、空気熱交換器１４から出る冷温低圧の冷媒との間で熱交換を行うためのガス熱交換器１７を備えている。
【００５５】
［貯湯ユニット］
貯湯ユニット３は、貯湯タンク２０と、沸上循環回路３０と、給湯・追焚回路４０とを備えている。
【００５６】
（貯湯タンク）
貯湯タンク２０の上部には、上部流入部２０ａ、上部流出部（第１流出部）２０ｂ、上部流出部（第３流出部）２０ｃが設けられており、貯湯タンク２０の中間部には、中間流出部（第２流出部）２０ｄが設けられており、貯湯タンク２０の下部には、下部流出部２０ｅ、下部流入部２０ｆ、２０ｇ、２０ｈが設けられている。
【００５７】
貯湯タンク２０の上部流入部２０ａ、下部流出部２０ｅ、下部流入部２０ｆは、沸上循環回路３０と接続されており、貯湯タンク２０の下部流出部２０ｅから取り出された温水が、ヒートポンプユニット２により加熱された後、貯湯タンク２０の上部流入部２０ａ又は下部流入部２０ｆに戻されるようになっている。また、貯湯タンク２０の上部流出部２０ｂ、２０ｃ、中間流出部２０ｄ、下部流入部２０ｇ、２０ｈは、給湯・追焚回路４０と接続されている。給湯端末への給湯又は風呂Ｃの追い焚きを行う場合、貯湯タンク２０の上部流出部２０ｂ又は上部流出部２０ｃから高温の温水が流出すると共に、下部流入部２０ｇ又は下部流入部２０ｈから貯湯タンク２０内に低温の水が流入するようになっている。そのため、ヒートポンプユニット２により貯湯タンク２０内の温水がすべて加熱されて高温となっている場合を除けば、貯湯タンク２０内の温水の温度は、上部が高温、下部が低温、中間部がその中間温度となっている。
【００５８】
貯湯タンク２０の外側面には、６つのタンクサーミスタ２１ａ〜２１ｆが、上下方向に並んで取り付けられている。タンクサーミスタ２１ａ〜２１ｆは、貯湯タンク２０内の温水の温度を検知するためのものである。なお、タンクサーミスタ２１ｄは、貯湯タンク２０の後述する中間流出配管４２が接続されている位置と同じ高さに取り付けられている。また、タンクサーミスタ２１ａ〜２１ｆにより検知された温度は、貯湯タンク２０内に高温の温水がどれだけ残っているかを検知（残湯量検知）するために用いられる。
【００５９】
（沸上循環回路）
沸上循環回路３０は、貯湯タンク２０内の下部の温水を取り出して、ヒートポンプユニット２の水熱交換器１２において加熱してから、貯湯タンク２０内の上部に戻すための回路である。沸上循環回路３０は、配管３１〜３５と、沸上三方弁３６と、排水用三方弁３８とを備えている。
【００６０】
配管３１は、貯湯タンク２０の下部流出部２０ｅと、排水用三方弁３８とを接続する配管である。排水用三方弁３８には、配管３１に加えて、水熱交換器１２が設けられた後述する配管３２と、排水口Ｄ１に向かう配管３５とが接続されている。排水用三方弁３８は、通常時は貯湯タンク２０の下部流出部２０ｅから流出した温水（水の場合を含む）を、ヒートポンプユニット２に向けて流す状態に切り換えられており、貯湯タンク２０と給湯・追焚回路４０内の配管内の水抜き作業を行うときには、貯湯タンク２０の下部流出部２０ｅから流出した水を、排水口Ｄ１に流す状態に切り換えられる。
【００６１】
配管３２は、排水用三方弁３８と沸上三方弁３６とを上記した水熱交換器１２を介して接続する配管である。配管３２の途中には、沸上ポンプ３７が配置されている。沸上ポンプ３７は、貯湯タンク２０内の温水（水の場合を含む）を、下部流出部２０ｅ、配管３１、及び排水用三方弁３８を介して配管３２に引き込むためのものである。また、配管３２の水熱交換器１２よりも上流側の位置に、入水サーミスタ１８が配置されており、配管３２の水熱交換器１２よりも下流側の位置に、出湯サーミスタ１９が配置されている。
【００６２】
配管３３は、沸上三方弁３６と貯湯タンク２０の上部流入部２０ａとを接続する配管である。配管３４は、沸上三方弁３６と貯湯タンク２０の下部流入部２０ｆとを接続する配管である。る。沸上三方弁３６は、入水サーミスタ１８により検知された温度に応じて、制御部４によって出口側が配管３３と配管３４のいずれかに切り換えられる。
【００６３】
（給湯・追焚回路）
給湯・追焚回路４０は、貯湯タンク２０内の温水と給水源Ｓから供給された水とを混合して給湯端末（カランＡ、シャワーＢ、風呂Ｃ）に供給すると共に、貯湯タンク２０内の温水を熱源として風呂Ｃの追い焚きを行うための回路である。また、給湯・追焚回路４０は、貯湯タンク２０内の温水を給湯端末に供給する際、同時に、貯湯タンク２０内への給水を行うように構成されている。
【００６４】
給湯・追焚回路４０は、給水配管４１と、中間流出配管４２と、接続配管４３と、上部流出配管４４と、給湯配管４５と、熱交循環配管４６と、接続配管４７と、湯はり配管４８と、風呂循環配管４９と、第１混合弁５１と、第２混合弁５２と、第３混合弁５３とを備えている。
【００６５】
給水配管４１は、給水源Ｓと、第１混合弁５１及び第３混合弁５３とを接続する配管である。給水配管４１の第１混合弁５１の近傍部には、逆止弁６５が配置されている。逆止弁６５は、給水源から第２混合弁５２に向かう方向にだけ水が流れるように構成されている。
【００６６】
また、給水配管４１の分岐点よりも給水源Ｓ側には、給水分岐管４１ａが接続されている。この給水分岐管４１ａは、給水配管４１内の水を、貯湯タンク２０の下部流入部２０ｇに供給するための配管である。また、給水分岐管４１ａには、水温サーミスタ６３と、逆止弁６４とが配置されている。水温サーミスタ６３は、給水源Ｓから供給される水の温度を検知するためのものである。
【００６７】
また、給水配管４１の給水分岐管４１ａが接続された位置よりも給水源Ｓ側には、逆止弁６１と、減圧弁６２とが給水源Ｓに近い順に並んで配置されている。また、給水配管４１の逆止弁６１と減圧弁６２との間の位置には、水抜き栓６６が設けられた分岐管４１ｂが接続されている。水抜き栓６６は、通常時は閉じられており、貯湯タンク２０や配管内の水抜きを行うときに開放される。分岐管４１ｂは、水抜き時に、配管内の水を排水口Ｄ２に排出するためのものである。
【００６８】
中間流出配管４２は、貯湯タンク２０の中間流出部２０ｄから流出した温水を、第１混合弁５１に供給するための配管である。第１混合弁５１は、貯湯タンク２０の中間流出部２０ｄから流出する温水と、給水源Ｓから供給される水とを混合するためのものである。
【００６９】
接続配管４３は、第１混合弁５１で混合された温水を、第２混合弁５２に供給するための配管である。接続配管４３の途中には、第１混合弁５１によって混合された温水の温度を検知するための中間混合サーミスタ７１が配置されている。また、接続配管４３の第２混合弁５２の近傍部には、逆止弁７２が配置されている。
【００７０】
上部流出配管４４は、貯湯タンク２０の上部流出部２０ｂから流出した温水を、第２混合弁５２に供給するための配管である。上部流出配管４４の第２混合弁５２の近傍部には、逆止弁７３が配置されている。第２混合弁５２は、貯湯タンク２０の上部流出部２０ｂから流出する温水と、第１混合弁５１で混合された温水とを混合するためのものである。
【００７１】
給湯配管４５は、第２混合弁５２で混合された温水を、カラン（第１給湯端末）Ａとシャワー（第１給湯端末）Ｂに供給するための配管である。給湯配管４５の途中には、給湯流量センサ７４と、給湯サーミスタ７５とが配置されている。給湯流量センサ７４は、給湯配管４５を流れる温水の単位時間当たりの流量を検知するためのものである。給湯サーミスタ７５は、第２混合弁５２により混合されてカランＡ及びシャワーＢに供給される温水の温度を検知するためのものである。
【００７２】
熱交循環配管４６は、貯湯タンク２０の上部流出部２０ｃから流出した温水を、貯湯タンク２０の下部流出部２０ｅに供給するための配管である。熱交循環配管４６の途中には、追焚熱交換器８１と、熱交循環ポンプ８２とが配置されている。熱交循環ポンプ８２は、貯湯タンク２０の上部流出部２０ｃから熱交循環配管４６に高温の温水を引き込むためのものである。追焚熱交換器８１は、熱交循環配管４６を流れる高温の温水と、後述する風呂循環配管４９を流れる水とを熱交換させるためのものである。
【００７３】
また、熱交循環配管４６の追焚熱交換器８１よりも上部流出部２０ｃ側の位置には、第３混合弁５３に接続された接続配管４７が接続されている。第３混合弁５３は、貯湯タンク２０の上部流出部２０ｃから流出する温水と、給水源Ｓから供給される水とを混合するためのものである。
【００７４】
熱交循環配管４６の接続配管４７が接続された箇所よりも上部流出部２０ｃ側の位置には、逆止弁８３と、逆止弁８４とを並列に接続した並列回路が配置されている。また、熱交循環配管４６には、この並列回路を迂回するようにバイパス配管８５が接続されている。また、この並列回路の接続配管４７側には、逃がし弁８６が接続されている。逃がし弁８６は、通常時に貯湯タンク２０内及び配管内のエアを外部に排出する役割を有する。また、逃がし弁８６は、貯湯タンク２０内及び配管内の水抜き作業を行うときに、配管内にエアを供給する役割も有する。
【００７５】
風呂循環配管４９は、その両端が風呂（第２給湯端末）Ｃに接続されており、その途中には、上述した追焚熱交換器８１と、風呂循環ポンプ９６と、風呂サーミスタ９７と、水位センサ９８とが配置されている。風呂循環ポンプ９６の作動時の風呂循環配管４９内の温水の流れ方向に関して、風呂サーミスタ９７及び水位センサ９８は、追焚熱交換器８１の上流側に配置されている。水位センサ９８は、風呂Ｃの水位を検知するためのものである。
【００７６】
湯はり配管４８は、第３混合弁５３と、風呂循環配管４９の途中部（詳細には、追焚熱交換器８１の下流側部分）とを接続する配管である。湯はり配管４８の途中には、湯はり電磁弁９１と、逆止弁９２と、湯はり流量センサ９３と、逆止弁９４と、湯はりサーミスタ９５とが配置されている。湯はりサーミスタ９５は、第３混合弁５３によって混合されて風呂Ｃに供給される温水の温度を検知するためのものである。湯はり流量センサ９３は、風呂Ｃに供給される温水の単位時間当たりの流量を検知するためのものである。湯はり電磁弁９１は、風呂Ｃの湯はりを行う場合に開弁状態に切り換えられる。
【００７７】
［リモコン］
リモコン５には、操作部（図示省略）と表示部（図示省略）とが設けられている。リモコン５の操作部は、カランＡ及びシャワーＢにおける給湯温度をユーザーが設定するための給湯温度設定ボタンと、風呂Ｃの湯はりと追い焚きの温度を設定するための風呂温度設定ボタンと、風呂Ｃの湯はりを開始するための湯はりボタンと、風呂Ｃの水の追い焚きを開始するための追焚ボタンと、各種設定変更を行うためのメニューボタン等を有している。リモコン５の表示部には、給湯設定温度や、風呂設定温度や、貯湯タンク２０の残湯量などが表示される。
【００７８】
給湯温度設定ボタンによって設定された給湯温度を、給湯設定温度とする。給湯温度設定ボタンにより設定可能な給湯設定温度には上限と下限（例えば３７℃）が設けられている。また、風呂温度設定ボタンにより設定された温度を、風呂設定温度とする。
【００７９】
［制御部］
制御部４は、マイコンやメモリ等で構成されている。図２に示すように、制御部４は、リモコン５、サーミスタ１８、１９、２１ａ〜２１ｆ、６３、７１、７５、９７、９５、流量センサ７４、９３、水位センサ９８、ポンプ３７、８２、９６、沸上三方弁３６、混合弁５１〜５３、湯はり電磁弁９１、圧縮機１１等に有線又は無線により通信可能に接続されている。なお、図２では、制御部４に接続される上記構成部品の一部を省略して表示している。制御部４は、リモコン５やサーミスタや流量センサ等から送られる信号に基づいて、ポンプや混合弁等を制御する。制御部４は、給湯判断部４ａと、第１混合弁５１を制御する第１混合弁制御部４ｂと、第２混合弁５２を制御する第２混合弁制御部４ｃと、中間混合判断部（判断手段）４ｄとを有している。なお、第１混合弁制御部４ｂ及び第２混合弁制御部４ｃが、本発明の制御手段に相当する。
【００８０】
（給湯判断部）
給湯判断部４ａは、給湯流量センサ７４により検知された流量Ｆ１に基づいて、カランＡ及びシャワーＢの両方又は一方に給湯が行われているか否かを判断する。具体的には、給湯流量センサ７４により検知された流量Ｆ１が、所定の最低流量Ｑ１以上の場合には、給湯が行われていると判断し、流量Ｆ１が、最低流量Ｑ１よりも低い場合には、給湯が行われていないと判断する。
【００８１】
（中間混合判断部）
中間混合判断部４ｄは、給湯流量センサ７４により検知されたカランＡ又はシャワーＢに供給される流量Ｆ１と、湯はり流量センサ９３により検知された風呂Ｃに供給される流量Ｆ２とに基づいて、貯湯タンク２０の中間流出部２０ｄから流出した温水が、第１混合弁５１を通過するのを許可するか否かを判断する。この判断は、カランＡ又はシャワーＢへの給湯時にのみ行われる。以下の説明において、中間流出部２０ｄから流出した温水が第１混合弁５１を通過するのを許可すると判断することを、湯とりを行うと判断するといい、通過を許可しないと判断することを、湯とりを行わないと判断するという。
【００８２】
具体的な判断方法は、図３のフローチャートに示すように、給湯判断部４ａにおいて、給湯が行われていると判断されているときに、即ち、流量Ｆ１≧最低流量Ｑ１のときに（ステップＳ１０：Ｙｅｓ）、給湯流量センサ７４により検知された流量Ｆ１が、所定流量Ｑ２以下の場合には（ステップＳ１１：Ｙｅｓ）、湯とりを行わないと判断する（ステップＳ１４）。なお、所定流量Ｑ２は、最低流量Ｑ１よりも大きい。また、湯はり流量センサ９３により検知された流量Ｆ２の単位時間当たりの変位量ΔＦ２が、負で且つその絶対値が所定の変位量ΔＱ以上の場合には（ステップＳ１２：Ｙｅｓ）、湯とりを行わないと判断する（ステップＳ１４）。また、上記２つの条件を両方とも満たさない場合には（ステップＳ１１：Ｎｏ、ステップＳ１２：Ｎｏ）、湯とりを行うと判断する（ステップＳ１３）。なお、変位量ΔＱは、湯はり運転時の風呂Ｃへの単位時間当たりの供給流量よりも小さい値に設定されている。また、流量Ｑ２及び変位量ΔＱは、一定であってもよいが、リモコン５の操作によって変更できるようになっていてもよい。
【００８３】
（第２混合弁制御部）
第２混合弁制御部４ｃは、カランＡ又はシャワーＢへの給湯時に、第２混合弁５２により混合された温水の温度が、給湯設定温度となるように第２混合弁５２の開度を制御する。具体的には、中間混合サーミスタ７１により検知された温度Ｔ３とタンクサーミスタ２１ａにより検知された温度Ｔ４とに基づくフィードフォワード制御と、給湯サーミスタ７５により検知された温度Ｔ５に基づくフィードバック制御とによって、第２混合弁５２により混合された温水の温度が給湯設定温度となるように、第２混合弁５２の開度を制御する。
【００８４】
第２混合弁制御部４ｃは、カランＡ又はシャワーＢへの給湯が開始されて、給湯判断部４ａにおいて、給湯が行われていると判断された場合に、第２混合弁５２の制御を開始する。
【００８５】
また、第２混合弁制御部４ｃは、カランＡ及びシャワーＢへの給湯が終了して、給湯判断部４ａにおいて、給湯が行われていないと判断された場合、第２混合弁５２の制御を停止し、給湯終了から、所定時間経過後に、第２混合弁５２の開度を初期化して、接続配管４３側全開状態とし、次の給湯時まで維持する。これにより、次の給湯を開始したときに、カランＡ又はシャワーＢから高温の温水が出湯するのを防止している。
【００８６】
また、第２混合弁制御部４ｃは、給湯サーミスタ７５により検知された温度Ｔ５が、給湯設定温度近くの給湯設定温度範囲（例えば給湯設定温度±０．５℃）内の温度である場合（即ち、給湯設定温度との温度差が所定の範囲内である場合）に、第２混合弁５２により混合された温水の温度が給湯設定温度になったものとみなす。
【００８７】
（第１混合弁制御部）
第１混合弁制御部４ｂは、カランＡ又はシャワーＢへの給湯時に、第１混合弁５１により混合された温水の温度が目標温度となるように第１混合弁５１の開度を制御する。以下、この制御を目標温度制御という。但し、給湯中に、中間混合判断部４ｄにおいて、湯とりを行わないと判断された場合には、第１混合弁制御部４ｂは、第１混合弁５１を給水源Ｓ側全開状態（給水配管４１側全開状態）として、この給湯が継続している間は、この開度状態を維持する。従って、給湯中に湯とりを行わないと判断された後で、その給湯中に、湯とりを行うと判断されても、第１混合弁制御部４ｂは、給水源Ｓ側全開状態を維持する。
【００８８】
第１混合弁制御部４ｂは、上記目標温度制御を、給湯が開始されて、第２混合弁５２の制御が開始された後、第２混合弁制御部４ｃにおいて、第２混合弁５２により混合された温水が給湯設定となったとみなされてから開始する。
【００８９】
また、第１混合弁制御部４ｂは、カランＡ及びシャワーＢへの給湯が終了して、給湯判断部４ａにおいて、給湯が行われていないと判断された場合、第１混合弁５１の開度を給湯終了時の開度で停止させて、次の給湯時まで維持する。従って、中間混合判断部４ｄにおいて、湯とりを行わないと判断された場合には、第１混合弁５１は、給水源Ｓ側全開状態が次の給湯時まで維持される。
【００９０】
また、第１混合弁制御部４ｂは、上記目標温度制御を行う場合、水温サーミスタ６３により検知された温度Ｔ１とタンクサーミスタ２１ｄにより検知された温度Ｔ２とに基づくフィードフォワード制御と、中間混合サーミスタ７１により検知された温度Ｔ３に基づくフィードバック制御とによって、第１混合弁５１により混合された温水の温度が目標温度となるように、第１混合弁５１の開度を制御する。
【００９１】
また、第１混合弁制御部４ｂは、中間混合サーミスタ７１により検知された温度Ｔ３が、目標温度近くの目標温度範囲（例えば目標温度±２℃）内の温度である場合（即ち、目標温度との温度差が所定の範囲内である場合）に、第１混合弁５１により混合された温水の温度が目標温度になったものとみなす。
【００９２】
目標温度は、給湯設定温度によらず一定の温度（例えば３１℃）となっている。上述したように、リモコン５によって設定可能な給湯設定温度には下限（例えば３７℃）が設けられており、目標温度は、設定可能な給湯設定温度の最低温度よりも低い温度に予め設定されている。従って、カランＡ又はシャワーＢへの給湯には、貯湯タンク２０の上部流出部２０ｂから流出する高温の温水が必ず使用される。
【００９３】
＜給湯装置の動作＞
次に、給湯装置１の動作について説明する。
給湯装置１の動作としては、貯湯タンク２０に貯湯される温水を加熱する沸上運転と、カランＡ又はシャワーＢへの給湯を行う給湯運転と、風呂Ｃへの給湯（湯はり）を行う湯はり運転と、風呂Ｃの追い焚きを行う追焚運転とがある。これらは同時に行うことも可能である。
【００９４】
［沸上運転］
沸上運転は、電気料金の安価な深夜時間帯に自動的に開始される。また、昼間時間帯であっても、貯湯タンク２０内の残湯量が所定値未満となった場合には、沸上運転が開始される。時刻又は残湯量による沸上運転開始条件が成立すると、制御部４は、圧縮機１１と沸上ポンプ３７とを駆動させる。すると、貯湯タンク２０内の温水が、下部流出部２０ｅから配管３１内に流出して、排水用三方弁３８を通って配管３２内に流れ込む。この温水は、水熱交換器１２において冷媒と熱交換されて加熱される。水熱交換器１２により加熱された温水の温度が十分に高温の場合（入水サーミスタ１８により検知された温度が所定温度以上の場合）には、制御部４により沸上三方弁３６の出口側が配管３３に切り換えられて、この温水は上部流入部２０ａから貯湯タンク２０内に流入する。この動作を継続して行うことにより、貯湯タンク２０内に高温の温水が貯湯される。一方、圧縮機１１の駆動を開始した直後など、水熱交換器１２により熱交換された温水の温度が十分に高温でない場合（入水サーミスタ１８により検知された温度が所定温度未満の場合）には、沸上三方弁３６の出口側が配管３４に切り換えられて、この温水は下部流入部２０ｆから貯湯タンク２０内に流入する。
【００９５】
［追焚運転］
追焚運転は、リモコン５の追焚ボタンが押下されることにより開始される。リモコン５からの追焚開始信号を受信した制御部４は、熱交循環ポンプ８２と風呂循環ポンプ９６とを駆動する。すると、風呂Ｃから風呂循環配管４９に流出した温水と、貯湯タンク２０の上部流出部２０ｃから熱交循環配管４６に流出した高温の温水とが、追焚熱交換器８１で熱交換される。風呂循環配管４９を流れる温水は、熱交換により加熱されて風呂Ｃに流入する。熱交循環配管４６を流れる温水は、熱交換により温度が低下した後、下部流入部２０ｈから貯湯タンク２０内に流入する。その後、風呂サーミスタ９７で検知される温度が、リモコン５で設定された風呂設定温度となったときに、追焚運転は終了する。
【００９６】
［湯はり運転］
湯はり運転は、リモコン５の湯はりボタンが押下されることにより開始される。リモコン５からの湯はり開始信号を受けた制御部４は、湯はり電磁弁９１を開弁状態に切り換える。すると、給水源Ｓの給水圧力により下部流入部２０ｇから貯湯タンク２０内に水が流入すると同時に、貯湯タンク２０の上部流出部２０ｃから熱交循環配管４６及び接続配管４７に高温の温水が流出する。この温水は、第３混合弁５３において、給水源Ｓから供給された水と混合された後、湯はり配管４８及び風呂循環配管４９を経由して、風呂Ｃに供給される。このとき、第３混合弁５３により混合された温水が、リモコン５により設定された風呂設定温度となるように、第３混合弁５３の開度は、制御部４によって制御される。その後、湯はり流量センサ９３の検知結果を基にして算出される風呂Ｃに供給された全水量が所定値に達したときに、湯はり運転は終了する。
【００９７】
［給湯運転］
給湯運転は、カランＡ及びシャワーＢのレバー等を操作することによって開始又は終了する。以下、給湯運転時の水の流れについて説明する。
【００９８】
カランＡ及びシャワーＢのレバー等を流水状態に切り換えると、給水源Ｓの給水圧力により下部流入部２０ｇから貯湯タンク２０内に水が流入すると共に、貯湯タンク２０の上部流出部２０ｂ及び中間流出部２０ｄから温水が流出する。中間流出部２０ｄから中間流出配管４２に流出した温水は、第１混合弁５１において、給水源Ｓから供給された水と混合された後、第２混合弁５２において、貯湯タンク２０の上部流出部２０ｂから上部流出配管４４に流出した高温の温水と混合されて、カランＡ又はシャワーＢに供給される。
【００９９】
なお、第１混合弁５１が給水源Ｓ側全開状態となっている場合には、給水源Ｓから供給された水と、貯湯タンク２０の上部から流出した高温の温水とが、第２混合弁５２において混合されて、カランＡ又はシャワーＢに供給される。また、第１混合弁５１が中間流出配管４２側全開状態となっている場合には、貯湯タンク２０の中間部から中間流出配管４２に流出した温水と、貯湯タンク２０の上部から流出した高温の温水とが、第２混合弁５２において混合されて、カランＡ又はシャワーＢに供給される。
【０１００】
次に、給湯運転時の制御部４の動作について、図４のフローチャートを用いて説明する。
【０１０１】
カランＡ又はシャワーＢのレバー等を流水状態に切り換えることにより給湯が開始されて、給湯判断部４ａにおいて、給湯が行われていると判断されると、第２混合弁制御部４ｃは、第２混合弁５２の制御を開始する（ステップＳ１）。具体的には、第２混合弁５２で混合された温水の温度が、リモコン５により設定された給湯設定温度となるように、第２混合弁５２の混合比率が調整される。
【０１０２】
第２混合弁制御部４ｃによって第２混合弁５２の開度が制御されることにより、給湯サーミスタ７５により検知される温度Ｔ５が給湯設定温度に近づいていく。そして、給湯サーミスタ７５により検知された温度Ｔ５が、給湯設定温度範囲内の温度になり（ステップＳ２：Ｙｅｓ）、第２混合弁制御部４ｃにおいて、第２混合弁５２により混合された温水の温度が給湯設定温度になったとみなされると、第１混合弁制御部４ｂは、第１混合弁５１の目標温度制御を開始する（ステップＳ３）。具体的には、第１混合弁５１で混合された温水の温度が目標温度となるように、第１混合弁５１の混合比率が調整される。
【０１０３】
第１混合弁５１の混合比率が調整されて、第１混合弁５１により混合された温水の温度である温度Ｔ２が変化すると、それに応じて、第２混合弁５２の混合比率も調整される。温度Ｔ２が目標温度範囲内の温度になると、第１混合弁５１の開度が維持されて、温度Ｔ２が安定する。その後、この温度Ｔ２に基づいて調整される第２混合弁５２の開度も安定し、第２混合弁５２により混合された温水の温度である温度Ｔ５も安定する。
【０１０４】
カランＡ及びシャワーＢのレバー等を止水状態に切り換えて給湯を終了し、給湯判断部４ａにおいて、給湯が行われていないと判断されると、第１混合弁制御部４ｂ及び第２混合弁制御部４ｃは、第１混合弁５１及び第２混合弁５２の制御をそれぞれ停止する。第１混合弁５１は、給湯終了時の開度が、次の給湯時まで維持される。また、第２混合弁５２は、給湯終了から所定時間が経過してから、初期化（接続配管４３側全開状態に切換）されて、その開度が次の給湯時まで維持される。
【０１０５】
なお、カランＡ又はシャワーＢへの給湯開始時又は給湯中に、レバー等によってカランＡ又はシャワーＢへ給湯流量がかなり小さくなるように設定されていることにより、給湯流量センサ７４により検知された流量Ｆ１が所定流量Ｑ２以下となる場合がある。また、カランＡとシャワーＢの両方で給湯を行っている状態から一方の給湯を終了することにより、給湯流量センサ７４により検知された流量Ｆ１が所定流量Ｑ２以下となる場合がある。このような場合、中間混合判断部４ｄにおいて、湯とりを行わないと判断されて、第１混合弁５１は、第１混合弁制御部４ｂによって、給水源Ｓ側全開状態に切り換えられて、この開度状態が給湯中維持される。
【０１０６】
また、給湯中に湯はり運転が終了又は停止した場合、湯はり流量センサ９３により検知された流量Ｆ２の単位時間当たりの変位量ΔＦ２が負で且つその絶対値が変位量ΔＱ以上となる。また、給湯と同時に湯はり運転を行っている場合であって、給湯中に、リモコン５を操作すること等によって風呂Ｃへの単位時間当たりの給湯流量を低下させたことにより、湯はり流量センサ９３により検知された流量Ｆ２の単位時間当たりの変位量ΔＦ２が負で且つその絶対値が変位量ΔＱ以上となる場合がある。
このような場合、中間混合判断部４ｄにおいて、湯とりを行わないと判断されて、第１混合弁５１は、第１混合弁制御部４ｂによって、給水源Ｓ側全開状態に切り換えられて、この開度状態が給湯中維持される。
【０１０７】
＜第１実施形態の給湯装置の特徴＞
本実施形態の給湯装置１には、以下のような特徴がある。
【０１０８】
カランＡ及びシャワーＢへの給湯流量Ｆ１が減少した場合、給水源Ｓから逆止弁６５及び第１混合弁５１に向かって流れる水の流量もかなり小さくなる。逆止弁６５は、流入する水の圧力に応じて開弁するように構成されているため、流入する水の流量が極端に少なくなると、逆止弁６５を完全に開弁させることができず、逆止弁６５を通過する水の流量がさらに少なくなる場合がある。この場合、中間流出部２０ｄから流出された温水と給水源Ｓから供給された水とを第１混合弁５１において混合していると、第１混合弁５１の開度が一定であっても、給水源Ｓから供給される水の割合が減少するように混合比率が変動して、第１混合弁５１により混合された温水の温度Ｔ３が上昇してしまう。
【０１０９】
第１実施形態の給湯装置１では、カランＡ又はシャワーＢへの温水供給流量である流量Ｆ１が、所定流量Ｑ２以下に減少した場合、第１混合弁５１は給水源Ｓ側全開状態に切り換えられるため、逆止弁６５を完全に開弁させることができないほど流量Ｆ１が減少しても、第１混合弁５１を通過した温水の温度Ｔ３が上昇するのを抑制できる。そのため、カランＡ又はシャワーＢに供給される温水の温度Ｔ５の上昇を抑制できる。
【０１１０】
また、カランＡ及びシャワーＢへの給湯流量Ｆ１がかなり少ない場合、第１混合弁５１の目標温度制御を精度良く行うことが困難であるため、第１混合弁５１の目標温度制御を行うと、第１混合弁５１により混合された温水の温度が変動して、カランＡ又はシャワーＢに供給される温水の温度が変動する。
【０１１１】
第１実施形態の給湯装置１では、流量Ｆ１が、所定流量Ｑ２以下の場合、第１混合弁５１は給水源Ｓ側全開状態に切り換えられるため、第１混合弁５１の目標温度制御を精度良く行うことが困難になるほど流量Ｆ１が少なくても、第１混合弁５１を通過した温水の温度Ｔ３の変動を抑制できる。そのため、カランＡ又はシャワーＢに供給される温水の温度Ｔ５の変動を抑制できる。
【０１１２】
また、カランＡ又はシャワーＢへの給湯中に湯はり運転が終了又は停止して、風呂Ｃへの給湯流量Ｆ２が減少した場合、上部流出部２０ｃから流出する温水の流量が減少することにより、中間流出部２０ｄ及び上部流出部２０ｂから流出する温水の流量が増加する。この場合、中間流出部２０ｄから流出された温水と給水源Ｓから供給された水とを第１混合弁５１において混合していると、第１混合弁５１の開度が一定であっても、中間流出部２０ｄから流出する温水の割合が増加するように混合比率が変動して、第１混合弁５１により混合された温水の温度Ｔ３が上昇してしまう。
【０１１３】
第１実施形態の給湯装置１では、カランＡ又はシャワーＢへの給湯途中に、流量Ｆ２の単位時間当たりの変位量ΔＦ２が、負で且つその絶対値が所定の変位量ΔＱ以上の場合に、第１混合弁５１は給水源Ｓ側全開状態に切り換えられるため、第１混合弁５１を通過した温水の温度Ｔ３が上昇するのを抑制できる。そのため、カランＡ又はシャワーＢに供給される温水の温度Ｔ５の上昇を抑制できる。
【０１１４】
また、上述したように、カランＡ又はシャワーＢへの温水供給時に、中間混合判断部４ｄにおいて湯とりを行わないと判断されて、第１混合弁制御部４ｂによって第１混合弁５１が給水源Ｓ側全開状態に切り換えられた後、その温水供給中に、中間混合判断部４ｄにおいて湯とりを行うと判断されても、その温水供給が継続されている間は、第１混合弁５１の開度を維持する。
このように、給湯中に中間混合判断部４ｄによる判断が変化しても、第１混合弁５１の開度を維持することにより、給湯途中に第１混合弁５１の開度を変化させた場合に生じる温度変動を防止することができる。
【０１１５】
次に、本発明に係る給湯装置の第２の実施の形態について説明する。上記第１実施形態で説明した要素と同一の要素について同じ符号を付し、詳細な説明を省略する。
【０１１６】
図５に示すように、第２実施形態の給湯装置１００１は、以下の点において、上記第１実施形態の給湯装置１と相違している。給湯装置１００１は、第１混合弁５１により混合された温水と、貯湯タンク２０の上部流出部２０ｃから流出した温水とを第３混合弁１５３で混合して、風呂Ｃに供給するように構成されている。この給湯装置１００１は、上記第１実施形態で述べた給湯装置１の効果と同様の効果を奏する。
【０１１７】
次に、本発明に係る給湯装置の第３の実施の形態について説明する。上記第１実施形態で説明した要素と同一の要素について同じ符号を付し、詳細な説明を省略する。
【０１１８】
図６に示すように、第３実施形態の給湯装置２００１は、以下の点において、上記第１実施形態の給湯装置１と相違している。給湯装置２００１は、貯湯タンク２０の上部流出部２０ｂから流出した温水と中間流出部２０ｄから流出した温水とを第１混合弁２５１で混合した後、この混合された温水と給水源Ｓから供給された水とを第２混合弁２５２において混合してカランＡ又はシャワーＢに供給するように構成されている。また、給湯装置２００１の中間混合判断部（判断手段）は、給湯流量センサ７４により検知されるカランＡ及びシャワーＢに供給される温水の流量Ｆ１が所定流量以下の場合にのみ、中間流出部２０ｄから流出する温水が第１混合弁２５１を通過するのを許可しない（湯とりを行わない）と判断する。
【０１１９】
第３実施形態の給湯装置２００１では、カランＡ及びシャワーＢに供給される温水の流量Ｆ１が所定流量以下の場合に、第１混合弁２５１が給水源Ｓ側全開状態に切り換えられるため、第１混合弁２５１の目標温度制御を精度良く行うことが困難になるほど流量Ｆ１が少なくても、第１混合弁２５１を通過した温水の温度の変動を抑制できる。そのため、カランＡ又はシャワーＢに供給される温水の温度の変動を抑制できる。
【０１２０】
以上、本発明の第１〜第３実施形態について説明したが、本発明の具体的な構成は、上記第１〜第３実施形態に限定されるものでないと考えられるべきである。本発明の範囲は、上記第１〜第３実施形態の説明だけではなく特許請求の範囲によって示され、さらに特許請求の範囲と均等の意味および範囲内でのすべての変更が含まれる。
【０１２１】
例えば、上記第１及び第２実施形態では、中間混合判断部４ｄは、給湯流量センサ７４により検知される流量Ｆ１に基づいて湯とりを行うか否か判断すると共に、湯はり流量センサ９３により検知される流量Ｆ２とに基づいて湯とりを行うか否か判断しているが、これに限定されるものではなく、流量Ｆ１のみに基づいて、湯とりを行うか否か判断するようになっていてもよい。逆に、湯はり流量センサ９３により検知される流量Ｆ２のみに基づいて、湯とりを行うか否か判断するようになっていてもよい。
【０１２２】
また、上記第１〜第３実施形態では、中間混合判断部４ｄにおいて湯とりを行わないと判断された場合、第１混合弁制御部４ｂは、第１混合弁５１を給水源Ｓ側全開状態に切り換えているが、これに限定されるものではない。例えば、第１混合弁５１の開度を、中間流出部２０ｄから流出した温水の第１混合弁５１の通過量が減少するように切り換えるようになっていてもよい。この場合、上記第１〜第３実施形態のように、第１混合弁５１を給水源Ｓ側全開状態に切り換える場合に比べて、カランＡ及びシャワーＢに供給される温水の温度が変動するのをより確実に抑制することができる。この点においては、上記第１〜第３実施形態の方が好ましい。
【０１２３】
ところで、上記第１実施形態の給湯装置では、貯湯タンク２０の上部に貯留された温水と、中間部に貯留された温水との比重差による差圧や、貯湯タンク２０の上部に貯留された温水と、下部に貯留された温水との温度差による比重差によって生じる差圧に起因して、上述した給湯・追焚回路４０内の配管の内部において貯湯タンク２０の上部流出部２０ｂ、２０ｃから中間流出部２０ｄあるいは下部流入部２０ｇに向かう方向に対流が生じることがある。そこで、以下では、この対流を防止するために設けられた各逆止弁の機能について、図７を参照しつつ説明する。
【０１２４】
図７（ａ）は、図１に示した第１実施形態の給湯装置１の模式図である。図７（ｂ）〜図７（ｆ）は、貯湯タンク２０の高さの異なる２ヵ所の間に形成される回路を示した図である。
【０１２５】
[第１回路〜第５回路]
図７（ａ）に示す貯湯ユニット３の給湯・追焚回路４０のうち、図７（ｂ）〜図７（ｆ）中で太線表示した回路を、それぞれ、第１回路〜第５回路とする。なお、図中の分岐点Ｂ１は、貯湯タンク２０の下部流入部２０ｇと給水源Ｓとを接続する接続点を、分岐点Ｂ２は、分岐点Ｂ１と第１混合弁５１とを接続する接続点を、分岐点Ｂ３は、分岐点Ｂ２と貯湯タンク２０の上部流出部２０ｃ及び逃がし弁８６とを接続する接続点を示している。
【０１２６】
[第１回路]
図７（ｂ）に示す第１回路は、貯湯タンク２０の上部流出部２０ｂから、第２混合弁５２及び第１混合弁５１を経由して、貯湯タンク２０の中間流出部２０ｄに至るまでの回路である。第１回路において、貯湯タンク２０の上部流出部２０ｂと第２混合弁５２との間には、上部流出部２０ｂから第２混合弁５２に向かう方向にだけ温水が流れる逆止弁７３が配置されている。この逆止弁７３は、スプリング式の逆止弁であって、差圧Ｐ以上の圧力によって開弁するように構成されている。ここで、差圧Ｐは、上部流出部２０ｂから中間流出部２０ｄへと至る対流に起因する差圧では開弁しないように設定されている。従って、第１回路では、逆止弁７３が配置されることによって、貯湯タンク２０の上部流出部２０ｂから中間流出部２０ｄに向かう方向の対流が防止される。
【０１２７】
なお、第１混合弁５１と第２混合弁５２との間に配置された逆止弁７２は、第１混合弁５１から第２混合弁５２に向かう方向にだけ温水が流れるものであって、貯湯タンク２０の上部流出部２０ｂから中間流出部２０ｄや下部流入部２０ｇへと至る対流を防止するためにも用いられる。
【０１２８】
なお、「対流に起因する差圧」とは、貯湯タンク２０の高さの異なる２ヵ所の間に形成される回路において、貯湯タンク２０の高さの異なる２ヵ所に対応した部分に貯留された温水の温度差による比重差によって発生する圧力差を意味する。そして、この「対流に起因する差圧」は、高さの差が大きいほど大きくなると共に、温水の比重差が大きくなるほど大きくなる。上述したように、逆止弁７３は、差圧Ｐ以上の圧力によって開弁するように構成されており、この差圧Ｐは、上部流出部２０ｂから中間流出部２０ｄへと至る対流に起因する差圧では開弁しないように設定されている。したがって、差圧Ｐは、上部流出部２０ｂと中間流出部２０ｄとの高さの差は一定であるから、上部流出部の近くに貯留される温水と中間流出部の近くに貯留される温水との比重差が最大となったときの差圧より大きくなるように設定されている。
【０１２９】
また、貯湯タンク２０の上面に設けられた上部流出部と下面に設けられた下部流入部との間に回路が形成された場合（高さの差が最大）であって、上部流出部の近くに貯留される温水と下部流入部の近くに貯留される水との比重差が最大となった場合に、「対流に起因する差圧」は最も大きくなると考えられる。従って、上記第１実施形態の給湯装置では、対流を防止する逆止弁の差圧Ｐは、「対流に起因する差圧」が最も大きくなった場合でも、その差圧によって開弁しないように設定されている。上記第１実施形態では、貯湯タンク２０内の温水の比重差（密度差）は０〜９０℃の範囲で最大３．６％であるので、貯湯タンク２０の高さを２ｍ程度として、逆止弁の差圧Ｐは、０．７２ｋＰaに設定されている。
【０１３０】
[第２回路]
図７（ｃ）に示す第２回路は、貯湯タンク２０の上部流出部２０ｃから、分岐点Ｂ３、湯はり混合弁５３、分岐点Ｂ２及び第１混合弁５１を経由して、貯湯タンク２０の中間流出部２０ｄに至るまでの回路である。第２回路において、貯湯タンク２０の上部流出部２０ｃと分岐点Ｂ３との間には、上部流出部２０ｃから分岐点Ｂ３を経由して湯はり混合弁５３に向かう方向にだけ温水が流れる逆止弁８３が配置されている。この逆止弁８３は、上部流出部２０ｃから中間流出部２０ｄや下部流入部２０ｇへと至る対流に起因する差圧では開弁しないように構成されている。従って、第２回路では、逆止弁８３が配置されることによって、貯湯タンク２０の上部流出部２０ｃから中間流出部２０ｄに向かう方向の対流が防止される。なお、逆止弁８３と並列に接続された逆止弁８４は、分岐点Ｂ３から上部流出部２０ｃに向かう方向にだけ温水が流れるものであって、後述の水抜き作業に使用されると共に、貯湯タンク２０の上部流出部２０ｃから中間流出部２０ｄや下部流入部２０ｇへ至る対流を防止するためにも用いられる。
【０１３１】
[第３回路]
図７（ｄ）に示す第３回路は、貯湯タンク２０の上部流出部２０ｃから、分岐点Ｂ３、湯はり混合弁５３、分岐点Ｂ２及び分岐点Ｂ１を経由して、貯湯タンク２０の下部流入部２０ｇに至るまでの回路である。第３回路において、貯湯タンク２０の上部流出部２０ｃと分岐点Ｂ３との間には、上述した逆止弁８３が配置されている。従って、第３回路では、貯湯タンク２０の上部流出部２０ｃから下部流入部２０ｇに向かう方向の対流が防止される。
【０１３２】
[第４回路]
図７（ｅ）に示す第４回路は、貯湯タンク２０の上部流出部２０ｂから、第２混合弁５２、第１混合弁５１、分岐点Ｂ２及び分岐点Ｂ１を経由して、貯湯タンク２０の下部流入部２０ｇに至るまでの回路である。第４回路において、貯湯タンク２０の上部流出部２０ｂと第２混合弁５２との間には、上述した逆止弁７３が配置されている。従って、第４回路では、貯湯タンク２０の上部流出部２０ｂから下部流入部２０ｇに向かう方向の対流が防止される。
【０１３３】
[第５回路]
図７（ｆ）に示す第５回路は、貯湯タンク２０の中間流出部２０ｄから、第１混合弁５１、分岐点Ｂ２及び分岐点Ｂ１を経由して、貯湯タンク２０の下部流入部２０ｇに至るまでの回路である。第５回路において、第１混合弁５１と分岐点Ｂ２との間には、給水源Ｓから分岐点Ｂ２を経由して第１混合弁５１に向かう方向にだけ温水が流れる逆止弁６５が配置されている。これにより、第１混合弁５１から分岐点Ｂ２に向かう方向には温水が流れない。従って、第５回路では、貯湯タンク２０の中間流出部２０ｄから下部流入部２０ｇに向かう方向の対流が防止される。
【０１３４】
[水抜き作業]
次に、貯湯ユニット３のメンテナンス時における水抜き作業について説明する。貯湯ユニット３において、貯湯タンク２０や給湯・追焚回路４０内の配管から水抜きが行われる場合には、排水用三方弁３８が貯湯タンク２０内の温水が排水口Ｄ１から排水されるように切り換えられると共に、減圧弁６２及び水抜き栓６６が開放される。これにより、逃がし弁８６から貯湯タンク２０や配管の内部にエアが吸い込まれると共に、貯湯タンク２０や配管の内部の水が排水口Ｄ１、Ｄ２から排水されることにより、貯湯タンク２０や配管から水抜きが行われる。
【０１３５】
より具体的には、例えば、排水経路ｆ１（逃がし弁８６から、分岐点Ｂ３、湯はり混合弁５３、分岐点Ｂ２、分岐点Ｂ１、減圧弁６２及び水抜き栓６６を経由して排水口Ｄ２に向かう方向の経路）や、排水経路ｆ２（逃がし弁８６から、分岐点Ｂ３、逆止弁８４、貯湯タンク２０の上部流出部２０ｃ、下部流出部２０ｅ及び排水用三方弁３８を経由して排水口Ｄ１に向かう方向の経路）や、排水経路ｆ３（逃がし弁８６から、分岐点Ｂ３、湯はり混合弁５３、分岐点Ｂ２、逆止弁６５、第１混合弁５１、中間流出部２０ｄ、下部流出部２０ｅ及び排水用三方弁３８を経由して排水口Ｄ１に向かう方向の経路）等の内部を水が流れることにより貯湯タンク２０や配管の内部の水抜きが行われる。ここで、上記の各排水経路ｆ１〜ｆ３には、排水口Ｄ１または排水口Ｄ２から逃がし弁８６に向かう方向にだけ温水が流れる逆止弁が設けられていないことから、排水口Ｄ１または排水口Ｄ２に向かって水が流れることができる。
【０１３６】
以上説明したように、給湯装置１では、貯湯タンク２０の高さの異なる２ヵ所の間に形成される第１回路〜第５回路において対流を防止できる。また、貯湯タンク２０及び給湯・追焚回路４０内の配管の内部の水を排水口Ｄ１、Ｄ２から排水することができる。
【０１３７】
＜変形例１＞
図８（ａ）は、第１実施形態の変形例１の給湯装置１０１の模式図である。この変形例１では、上記第１実施形態で説明した要素と同一の要素について同じ符号を付し、詳細な説明を省略する。
【０１３８】
図８（ａ）に示すように、変形例１の給湯装置１０１は、以下の点で、上記第１実施形態に係る給湯装置１と相違している。つまり、変形例１の給湯装置１０１は、貯湯タンク２０の上部流出部２０ｃと分岐点Ｂ３との間に、逆止弁８４が配置されていない点、貯湯タンク２０の上部流出部２０ｂと第２混合弁５２の間に逆止弁７３が配置されていない点、分岐点Ｂ１と貯湯タンク２０の下部流入部２０ｇとの間に逆止弁６４が配置されていない点で、上記第１実施形態に係る給湯装置１と相違している。
【０１３９】
図８（ｂ）〜図８（ｆ）は、貯湯タンク２０の異なる２ヵ所の間で形成される回路を示した図である。
【０１４０】
[第１回路１〜第５回路５]
図８（ａ）に示す給湯装置１０１の給湯・追焚回路のうち、図８（ｂ）〜図８（ｆ）中で太線表示した回路を、それぞれ、第１回路１〜第５回路５とする。
【０１４１】
[第１回路１]
図８（ｂ）に示す第１回路１は、貯湯タンク２０の上部流出部２０ｂから、第２混合弁５２及び第１混合弁５１を経由して、貯湯タンク２０の中間流出部２０ｄに至るまでの回路である。第１回路１において、第２混合弁５２と第１混合弁５１との間には、第１混合弁５１から第２混合弁５２に向かう方向にだけ温水が流れる逆止弁７２が配置されている。これにより、第２混合弁５２から第１混合弁５１に向かう方向には温水が流れない。従って、第１回路１では、貯湯タンク２０の上部流出部２０ｂから中間流出部２０ｄに向かう方向の対流が防止される。
【０１４２】
[第２回路２]
図８（ｃ）に示す第２回路２は、貯湯タンク２０の上部流出部２０ｃから、分岐点Ｂ３、湯はり混合弁５３、分岐点Ｂ２及び第１混合弁５１を経由して、貯湯タンク２０の中間流出部２０ｄに至るまでの回路である。第２回路２において、貯湯タンク２０の上部流出部２０ｃと分岐点Ｂ３との間には、上述した逆止弁８３が配置されている。従って、第２回路２では、貯湯タンク２０の上部流出部２０ｃから中間流出部２０ｄに向かう方向の対流が防止される。
【０１４３】
[第３回路３]
図８（ｄ）に示す第３回路３は、貯湯タンク２０の上部流出部２０ｃから、分岐点Ｂ３、湯はり混合弁５３、分岐点Ｂ２及び分岐点Ｂ１を経由して、貯湯タンク２０の下部流入部２０ｇに至るまでの回路である。第３回路３において、貯湯タンク２０の上部流出部２０ｃと分岐点Ｂ３との間には、上述した逆止弁８３が配置されている。従って、第３回路３では、貯湯タンク２０の上部流出部２０ｃから下部流入部２０ｇに向かう方向の対流が防止される。
【０１４４】
[第４回路４]
図８（ｅ）に示す第４回路４は、貯湯タンク２０の上部流出部２０ｂから、第２混合弁５２、第１混合弁５１、分岐点Ｂ２及び分岐点Ｂ１を経由して、貯湯タンク２０の下部流入部２０ｇに至るまでの回路である。第４回路４において、第２混合弁５２と第１混合弁５１との間には、上述した逆止弁７２が配置されている。従って、第４回路４では、貯湯タンク２０の上部流出部２０ｂから下部流入部２０ｇに向かう方向の対流が防止される。
【０１４５】
[第５回路５]
図８（ｆ）に示す第５回路５は、貯湯タンク２０の中間流出部２０ｄから、第１混合弁５１、分岐点Ｂ２及び分岐点Ｂ１を経由して、貯湯タンク２０の下部流入部２０ｇに至るまでの回路である。第５回路５において、第１混合弁５１と分岐点Ｂ３との間には、上述した逆止弁６５が配置されている。従って、第５回路５では、貯湯タンク２０の中間流出部２０ｄから下部流入部２０ｇに向かう方向の対流が防止される。
【０１４６】
[水抜き作業]
次に、給湯装置１０１のメンテナンス時における水抜き作業について説明する。給湯装置１０１において、貯湯タンク２０や給湯・追焚回路４０内の配管の内部から水抜きが行われる場合には、排水用三方弁３８が貯湯タンク２０内の温水が排水口Ｄ１から排水されるように切り換えられると共に、減圧弁６２及び水抜き栓６６が開放される。これにより、逃がし弁８６から貯湯タンク２０や配管の内部にエアが吸い込まれると共に、貯湯タンク２０や配管の内部の水が排水口Ｄ１、Ｄ２から排水されることにより、貯湯タンク２０や配管から水抜きが行われる。
【０１４７】
より具体的には、例えば、排水経路ｆ１１（逃がし弁８６から、分岐点Ｂ３、湯はり混合弁５３、分岐点Ｂ２、分岐点Ｂ１、減圧弁６２及び水抜き栓６６を経由して排水口Ｄ２に向かう方向の経路）や、排水経路ｆ１２（逃がし弁８６から、分岐点Ｂ３、湯はり混合弁５３、分岐点Ｂ２、逆止弁６５、第１混合弁５１、貯湯タンク２０の中間流出部２０ｄ、下部流出部２０ｅ及び排水用三方弁３８を経由して排水口Ｄ１に向かう方向の経路）等の内部を水が流れることにより貯湯タンク２０や配管の内部の水抜きが行われる。ここで、上記の各排水経路ｆ１１、ｆ１２には、排水口Ｄ１、Ｄ２から逃がし弁８６に向かう方向にだけ温水が流れる逆止弁が設けられていないことから、排水口Ｄ１、Ｄ２に向かって水が流れることができる。
【０１４８】
以上説明したように、給湯装置１０１では、貯湯タンク２０の異なる２ヵ所の間に形成される第１回路１〜第５回路５において対流を防止できる。また、貯湯タンク２０及び給湯・追焚回路４０内の配管の内部の水を排水口Ｄ１、Ｄ２から排水することができる。
【０１４９】
＜変形例２＞
図９（ａ）は、上記第１実施形態の変形例２の給湯装置２０１の模式図である。変形例２では、上記第１実施形態で説明した要素と同一の要素について同じ符号を付し、詳細な説明を省略する。
【０１５０】
図９（ａ）に示すように、変形例２の給湯装置２０１は、以下の点で、上記第１実施形態に係る給湯装置１と相違している。つまり、変形例２の給湯装置２０１は、貯湯タンク２０の上部流出部２０ｃと分岐点Ｂ３との間に逆止弁８４が配置されていない点、分岐点Ｂ３と湯はり混合弁５３との間に逆止弁８３が配置されている点、貯湯タンク２０の上部流出部２０ｂと第２混合弁５２の間に逆止弁７３が配置されていない点、分岐点Ｂ１と貯湯タンク２０の下部流入部２０ｇとの間に逆止弁６４が配置されていない点で、貯湯ユニット３と相違している。
【０１５１】
図９（ｂ）〜図９（ｆ）は、貯湯タンク２０の異なる２ヵ所の間で形成される回路を示した図である。
【０１５２】
[第１回路〜第５回路]
図９（ａ）に示す給湯装置２０１の給湯・追焚回路のうち、図９（ｂ）〜図９（ｆ）中で太線表示した回路を、それぞれ、第１回路〜第５回路とする。
【０１５３】
[第１回路]
図９（ｂ）に示す第１回路は、貯湯タンク２０の上部流出部２０ｂから、第２混合弁５２及び第１混合弁５１を経由して、貯湯タンク２０の中間流出部２０ｄに至るまでの回路である。第１回路において、第２混合弁５２と第１混合弁５１との間には、上述した逆止弁７２が配置されている。これにより、第２混合弁５２から第１混合弁５１に向かう方向には温水が流れない。従って、第１回路では、貯湯タンク２０の上部流出部２０ｂから中間流出部２０ｄに向かう方向の対流が防止される。
【０１５４】
[第１回路]
図９（ｃ）に示す第２回路は、貯湯タンク２０の上部流出部２０ｃから、分岐点Ｂ３、逆止弁８３、湯はり混合弁５３、分岐点Ｂ２及び第１混合弁５１を経由して、貯湯タンク２０の中間流出部２０ｄに至るまでの回路である。第２回路において、貯湯タンク２０の上部流出部２０ｃと分岐点Ｂ３との間には、上述した逆止弁８３が配置されている。従って、第２回路では、貯湯タンク２０の上部流出部２０ｃから中間流出部２０ｄに向かう方向の対流が防止される。
【０１５５】
[第３回路]
図９（ｄ）に示す第３回路は、貯湯タンク２０の上部流出部２０ｃから、分岐点Ｂ３、湯はり混合弁５３、分岐点Ｂ２及び分岐点Ｂ１を経由して、貯湯タンク２０の下部流入部２０ｇに至るまでの回路である。第３回路において、貯湯タンク２０の上部流出部２０ｃと分岐点Ｂ２との間には、上述した逆止弁８３が配置されている。従って、第３回路では、上部流出部２０ｃから下部流入部２０ｇに向かう方向の対流が防止される。
【０１５６】
[第４回路]
図９（ｅ）に示す第４回路は、貯湯タンク２０の上部流出部２０ｂから、第２混合弁５２、第１混合弁５１、分岐点Ｂ２及び分岐点Ｂ１を経由して、貯湯タンク２０の下部流入部２０ｇに至るまでの回路である。第４回路において、第２混合弁５２と第１混合弁５１との間には、上述した逆止弁７２が配置されている。従って、第４回路では、貯湯タンク２０の上部流出部２０ｂから下部流入部２０ｇに向かう方向の対流が防止される。
【０１５７】
[第５回路]
図９（ｆ）に示す第５回路は、貯湯タンク２０の中間流出部２０ｄから、第１混合弁５１、分岐点Ｂ２及び分岐点Ｂ１を経由して、貯湯タンク２０の下部流入部２０ｇに至るまでの回路である。第５回路において、第１混合弁５１と分岐点Ｂ２との間には、上述した逆止弁６５が配置されている。これにより、第１混合弁５１から分岐点Ｂ３に向かう方向には温水が流れない。従って、第５回路では、貯湯タンク２０の中間流出部２０ｄから下部流入部２０ｇに向かう方向の対流が防止される。
【０１５８】
[水抜き作業]
次に、給湯装置２０１のメンテナンス時における水抜き作業について説明する。給湯装置２０１において、貯湯タンク２０や給湯・追焚回路４０内の配管の内部からの水抜きが行われる場合には、排水用三方弁３８が貯湯タンク２０内の温水が排水口Ｄ１から排水されるように切り換えられると共に、減圧弁６２及び水抜き栓６６が開放される。これにより、逃がし弁８６から貯湯タンク２０や配管の内部にエアが吸い込まれると共に、貯湯タンク２０や配管の内部の水が排水口Ｄ１、Ｄ２から排水されることにより、貯湯タンク２０や配管から水抜きが行われる。なお、逆止弁８３は、上述のとおり、差圧Ｐで開弁しないように設定されているが、この差圧Ｐは、逃がし弁８６から逆止弁８３までの配管内部の水圧よりも小さく設定されている。従って、この水圧によって逆止弁８３が開弁され、貯湯タンク２０や配管の内部からの水抜きが可能となる。
【０１５９】
より具体的には、例えば、排水経路ｆ２１（逃がし弁８６から、分岐点Ｂ３、逆止弁８３、湯はり混合弁５３、分岐点Ｂ２、分岐点Ｂ１、減圧弁６２及び水抜き栓６６を経由して排水口Ｄ２に向かう方向の経路）や、排水経路ｆ２２（逃がし弁８６から、分岐点Ｂ３、逆止弁８３、湯はり混合弁５３、分岐点Ｂ２、逆止弁６５、第１混合弁５１、貯湯タンク２０の中間流出部２０ｄ、下部流出部２０ｅ及び排水用三方弁３８を経由して排水口Ｄ１に向かう方向の経路）や、排水経路ｆ２３（逃がし弁８６から、分岐点Ｂ３、貯湯タンク２０の上部流出部２０ｃ、下部流出部２０ｅ及び排水用三方弁３８を経由して排水口Ｄ１に向かう方向の経路）等の内部を水が流れることにより貯湯タンク２０や配管の内部の水抜きが行われる。ここで、上記の各排水経路ｆ２１〜ｆ２３には、排水口Ｄ１、Ｄ２から逃がし弁８６に向かう方向にだけ温水が流れる逆止弁が設けられていないことから、排水口Ｄ１、Ｄ２に向かって水が流れることができる。
【０１６０】
以上説明したように、給湯装置２０１では、貯湯タンク２０の異なる２ヵ所の間に形成される第１回路〜第５回路において対流を防止できる。また、貯湯タンク２０及び給湯・追焚回路４０内の配管の内部の水を排水口Ｄ１、Ｄ２から排水することができる。
【０１６１】
＜変形例３＞
図１０（ａ）は、上記第１実施形態の変形例３の給湯装置３０１の模式図である。変形例３では、上記実施形態で説明した要素と同一の要素について同じ符号を付し、詳細な説明を省略する。
【０１６２】
図１０（ａ）に示すように、変形例３の給湯装置３０１は、以下の点で上記第１実施形態に係る給湯装置１と相違している。つまり、変形例３の給湯装置３０１は、貯湯タンク２０の上部流出部２０ｃと分岐点Ｂ２との間に、逆止弁８４が配置されていない点、貯湯タンク２０の上部流出部２０ｂと第２混合弁５２の間に逆止弁７３が配置されていない点、分岐点Ｂ１と貯湯タンク２０の下部流入部２０ｇとの間に逆止弁６４が配置されていない点、分岐点Ｂ２と第１混合弁５１の間に逆止弁６５が配置されていない点、貯湯タンク２０の中間流出部２０ｄと第１混合弁５１との間に逆止弁３６５が配置されている点で、上記第１実施形態に係る給湯装置１と相違している。
【０１６３】
図１０（ｂ）〜図１０（ｆ）は、貯湯タンク２０の異なる２ヵ所の間で形成される回路を示した図である。
【０１６４】
[第１回路〜第５回路]
図１０（ａ）に示す給湯装置３０１の給湯・追焚回路のうち、図１０（ｂ）〜図１０（ｆ）中で太線表示した回路を、それぞれ、第１回路〜第５回路とする。
【０１６５】
[第１回路]
図１０（ｂ）に示す第１回路は、貯湯タンク２０の上部流出部２０ｂから、第２混合弁５２及び第１混合弁５１を経由して、貯湯タンク２０の中間流出部２０ｄに至るまでの回路である。第１回路において、第２混合弁５２と第１混合弁５１との間には、上述した逆止弁７２が配置されている。従って、第１回路では、貯湯タンク２０の第１上部流出部２０ｂから中間流出部２０ｄに向かう方向の対流が防止される。
【０１６６】
[第２回路]
図１０（ｃ）に示す第２回路は、貯湯タンク２０の上部流出部２０ｃから、分岐点Ｂ３、湯はり混合弁５３、分岐点Ｂ２及び第１混合弁５１を経由して、貯湯タンク２０の中間流出部２０ｄに至るまでの回路である。第２回路において、貯湯タンク２０の上部流出部２０ｃと分岐点Ｂ３との間には、上述した逆止弁８３が配置されている。従って、第２回路では、貯湯タンク２０の上部流出部２０ｃから中間流出部２０ｄに向かう方向の対流が防止される。
【０１６７】
[第３回路]
図１０（ｄ）に示す第３回路は、貯湯タンク２０の上部流出部２０ｃから、分岐点Ｂ３、湯はり混合弁５３、分岐点Ｂ２及び分岐点Ｂ１を経由して、貯湯タンク２０の下部流入部２０ｇに至るまでの回路である。第３回路において、貯湯タンク２０の上部流出部２０ｃと分岐点Ｂ３との間には、上述した逆止弁８３が配置されている。従って、第３回路では、上部流出部２０ｃから下部流入部２０ｇに向かう方向の対流が防止される。
【０１６８】
[第４回路]
図１０（ｅ）に示す第４回路は、貯湯タンク２０の上部流出部２０ｂから、第２混合弁５２、第１混合弁５１、分岐点Ｂ２及び分岐点Ｂ１を経由して、貯湯タンク２０の下部流入部２０ｇに至るまでの回路である。第４回路において、第２混合弁５２と第１混合弁５１との間には、上述した逆止弁７２が配置されている。従って、第４回路では、貯湯タンク２０の上部流出部２０ｂから下部流入部２０ｇに向かう方向の対流が防止される。
【０１６９】
[第５回路]
図１０（ｆ）に示す第５回路は、貯湯タンク２０の中間流出部２０ｄから、第１混合弁５１、分岐点Ｂ２及び分岐点Ｂ１を経由して、貯湯タンク２０の下部流入部２０ｇに至るまでの回路である。第５回路において、貯湯タンク２０の中間流出部２０ｄと第１混合弁５１との間には、中間流出部２０ｄから第１混合弁５１に向かう方向にだけ温水が流れる逆止弁３６５が配置されている。この逆止弁３６５は、スプリング式の逆止弁であって、上述した差圧Ｐ以上の圧力によって開弁するように構成されている。これにより、逆止弁３６５は、中間流出部２０ｄから下部流入部２０ｇへと至る対流に起因する差圧では開弁しない。従って、第５回路では、貯湯タンク２０の中間流出部２０ｄから下部流入部２０ｇに向かう方向の対流が防止される。
【０１７０】
[水抜き作業]
次に、給湯装置３０１のメンテナンス時における水抜き作業について説明する。給湯装置３０１において、貯湯タンク２０や給湯・追焚回路４０内の配管の内部からの水抜きを行う場合には、排水用三方弁３８は、貯湯タンク２０内の温水が排水口Ｄ１から排水されるように切り換えられると共に、減圧弁６２及び水抜き栓６６が開放される。これにより、逃がし弁８６から貯湯タンク２０や配管の内部にエアが吸い込まれると共に、貯湯タンク２０や配管の内部の水が排水口Ｄ１、Ｄ２から排水されることにより、貯湯タンク２０や配管から水抜きが行われる。
【０１７１】
より具体的には、例えば、排水経路ｆ３１（逃がし弁８６から、分岐点Ｂ３、湯はり混合弁５３、分岐点Ｂ２、分岐点Ｂ１、減圧弁６２及び水抜き栓６６を経由して排水口Ｄ２に至るまでの経路）や、排水経路ｆ３２（逃がし弁８６から、分岐点Ｂ３、湯はり混合弁５３、分岐点Ｂ２、第１混合弁５１、逆止弁７２、第２混合弁５２、貯湯タンク２０の上部流出部２０ｂ、下部流出部２０ｅ及び排水用三方弁３８を経由して排水口Ｄ１に至るまでの経路）等の内部を水が流れることにより貯湯タンク２０や配管の内部の水抜きが行われる。ここで、上記の各排水経路ｆ３１、ｆ３２には、排水口Ｄ１、Ｄ２から逃がし弁８６に向かう方向にだけ温水が流れる逆止弁が設けられていないことから、排水口Ｄ１、Ｄ２に向かって水が流れることができる。
【０１７２】
以上説明したように、給湯装置３０１では、貯湯タンク２０の異なる２ヵ所の間に形成される第１回路〜第５回路において対流を防止できる。また、貯湯タンク２０及び給湯・追焚回路４０内の配管の内部の水を排水口Ｄ１、Ｄ２から排水することができる。
【０１７３】
＜変形例４＞
図１１（ａ）は、上記第１実施形態の変形例４の給湯装置４０１の模式図である。変更例４では、上記実施形態で説明した要素と同一の要素について同じ符号を付し、詳細な説明を省略する。
【０１７４】
図１１（ａ）に示すように、変形例４の給湯装置４０１は、以下の点で、上記実施形態に係る給湯装置１と相違している。つまり、変形例４の給湯装置４０１は、風呂Ｃに温水を供給する装置を有していない点で、上記実施形態に係る給湯装置１と相違している。また、変形例４の給湯装置４０１は、逃がし弁８６が、貯湯タンク２０の上部流出部２０ｂと逆止弁７３とを接続する配管に接続されている点で、上記実施形態に係る給湯装置１と相違している。
【０１７５】
図１１（ｂ）〜図１１（ｄ）は、貯湯タンク２０の異なる２ヵ所の間で形成される回路を示した図である。
【０１７６】
[第１回路〜第３回路]
図１１（ａ）に示す給湯装置４０１の給湯・追焚回路のうち、図１１（ｂ）〜図１１（ｄ）中で太線表示した回路を、それぞれ、第１回路〜第３回路とする。
【０１７７】
[第１回路]
図１１（ｂ）に示す第１回路は、貯湯タンク２０の上部流出部２０ｂから、第２混合弁５２及び第１混合弁５１を経由して、貯湯タンク２０の中間流出部２０ｄに至るまでの回路である。第１回路において、貯湯タンク２０の上部流出部２０ｂと第２混合弁５２との間には、上述した逆止弁７３が配置されている。従って、第１回路では、貯湯タンク２０の上部流出部２０ｂから中間流出部２０ｄに向かう方向の対流が防止される。
【０１７８】
[第２回路]
図１１（ｃ）に示す第２回路は、貯湯タンク２０の上部流出部２０ｂから、第２混合弁５２、第１混合弁５１及び分岐点Ｂ１を経由して、貯湯タンク２０の下部流入部２０ｇに至るまでの回路である。第２回路において、貯湯タンク２０の上部流出部２０ｂと第２混合弁５２との間には、上述した逆止弁７３が配置されている。従って、第２回路では、貯湯タンク２０の上部流出部２０ｂから下部流入部２０ｇに向かう方向の対流が防止される。
【０１７９】
[第３回路]
図１１（ｄ）に示す第３回路は、貯湯タンク２０の中間流出部２０ｄから、第１混合弁５１及び分岐点Ｂ１を経由して、貯湯タンク２０の下部流入部２０ｇに至るまでの回路である。第３回路において、第１混合弁５１と分岐点Ｂ３との間には、上述した逆止弁６５が配置されている。従って、第３回路では、貯湯タンク２０の中間流出部２０ｄから下部流入部２０ｇに向かう方向の対流が防止される。
【０１８０】
[水抜き作業]
次に、給湯装置４０１のメンテナンス時における水抜き作業について説明する。給湯装置４０１において、貯湯タンク２０や給湯・追焚回路４０内の配管の内部から水抜きが行われる場合には、排水用三方弁３８が貯湯タンク２０内の温水が排水口Ｄ１から排水されるように切り換えられると共に、減圧弁６２及び水抜き栓６６が開放される。これにより、逃がし弁８６から貯湯タンク２０や配管の内部にエアが吸い込まれると共に、貯湯タンク２０や配管の内部の水が排水口Ｄ１から排水されることにより、貯湯タンク２０や配管から水抜きが行われる。
【０１８１】
より具体的には、例えば、排水経路ｆ５１（逃がし弁８６から、貯湯タンク２０の上部流出部２０ｂ、下部流出部２０ｅ及び排水用三方弁３８を経由して排水口Ｄ１に向かう方向の経路）等の内部を水が流れることにより貯湯タンク２０や配管の内部の水抜きが行われる。ここで、上記の排水経路ｆ５１には、排水口Ｄ１から逃がし弁８６に向かう方向にだけ温水が流れる逆止弁が設けられていないことから、排水口Ｄ１に向かって水が流れることができる。
【０１８２】
以上説明したように、給湯装置４０１では、貯湯タンク２０の異なる２ヵ所の間に形成される第１回路〜第３回路において対流を防止できる。また、貯湯タンク２０及び給湯・追焚回路４０内の配管の内部の水を排水口Ｄ１から排水することができる。
【０１８３】
図１２（ａ）は、図５に示した第２実施形態の給湯装置１００１の模式図である。図１２（ｂ）〜図１２（ｆ）は、貯湯タンク２０の異なる２ヵ所の間で形成される回路を示した図である。
【０１８４】
[第１回路〜第５回路]
図１２（ａ）に示す給湯装置１００１の給湯・追焚回路のうち、図１２（ｂ）〜図１２（ｆ）中で太線表示した回路を、それぞれ、第１回路〜第５回路とする。
【０１８５】
[第１回路]
図１２（ｂ）に示す第１回路は、貯湯タンク２０の上部流出部２０ｂから、第２混合弁５２、分岐点Ｂ１０２及び第１混合弁５１を経由して、貯湯タンク２０の中間流出部２０ｄに至るまでの回路である。第１回路において、第２混合弁５２と分岐点Ｂ１０２との間には、分岐点Ｂ１０２から第２混合弁５２に向かう方向にだけ温水が流れる逆止弁７２が配置されている。これにより、第２混合弁５２から分岐点Ｂ１０２に向かう方向には温水が流れない。従って、第１回路では、貯湯タンク２０の上部流出部２０ｂから中間流出部２０ｄに向かう方向の対流が防止される。
【０１８６】
[第２回路２]
図１２（ｃ）に示す第２回路２は、貯湯タンク２０の上部流出部２０ｃから、分岐点Ｂ３、湯はり混合弁５３、分岐点Ｂ１０２及び第１混合弁５１を経由して、貯湯タンク２０の中間流出部２０ｄに至るまでの回路である。第２回路２において、貯湯タンク２０の上部流出部２０ｃと分岐点Ｂ１０２との間には、上述した逆止弁８３が配置されている。従って、第２回路２では、逆止弁８３が配置されることによって、貯湯タンク２０の上部流出部２０ｃから中間流出部２０ｄに向かう方向の対流が防止される。
【０１８７】
[第３回路]
図１２（ｄ）に示す第３回路は、貯湯タンク２０の上部流出部２０ｃから、分岐点Ｂ３、湯はり混合弁５３、分岐点Ｂ１０２、第１混合弁５１及び分岐点Ｂ１を経由して貯湯タンク２０の下部流入部２０ｇに至るまでの回路である。第３回路において、貯湯タンク２０の上部流出部２０ｃと分岐点Ｂ１０２との間には、上述した逆止弁８３が配置されている。従って、第３回路では、逆止弁８３が配置されることによって、上部流出部２０ｃから下部流入部２０ｇに向かう方向の対流が防止される。
【０１８８】
[第４回路]
図１２（ｅ）に示す第４回路は、貯湯タンク２０の上部流出部２０ｂから、第２混合弁５２、分岐点Ｂ１０２、第１混合弁５１及び分岐点Ｂ１を経由して、貯湯タンク２０の下部流入部２０ｇに至るまでの回路である。第４回路において、第２混合弁５２と分岐点Ｂ１０２との間には、上述した逆止弁７２が配置されている。従って、第４回路では、貯湯タンク２０の上部流出部２０ｂから下部流入部２０ｇに向かう方向の対流が防止される。
【０１８９】
[第５回路]
図１２（ｆ）に示す第５回路は、貯湯タンク２０の中間流出部２０ｄから、第１混合弁５１及び分岐点Ｂ１を経由して、貯湯タンク２０の下部流入部２０ｇに至るまでの回路である。第５回路において、貯湯タンク２０の中間流出部２０ｄと第１混合弁５１との間には、上述した逆止弁３６５が配置されている。これにより、逆止弁３６５は、中間流出部２０ｄから下部流入部２０ｇへと至る対流に起因する差圧では開弁しない。従って、第５回路では、逆止弁３６５が配置されることによって、貯湯タンク２０の中間流出部２０ｄから下部流入部２０ｇに向かう方向の対流が防止される。
【０１９０】
[水抜き作業]
次に、給湯装置１００１のメンテナンス時における水抜き作業について説明する。給湯装置１００１において、貯湯タンク２０や給湯・追焚回路４０内の配管の内部からの水抜きが行われる場合には、排水用三方弁３８が貯湯タンク２０内の温水が排水口Ｄ１から排水されるように切り換えられると共に、減圧弁６２及び水抜き栓６６が開放される。これにより、逃がし弁８６から貯湯タンク２０や配管の内部にエアが吸い込まれると共に、貯湯タンク２０や配管の内部の水が排水口Ｄ１、Ｄ２から排水されることにより、貯湯タンク２０や配管から水抜きが行われる。
【０１９１】
より具体的には、例えば、排水経路ｆ４１（逃がし弁８６から、分岐点Ｂ３、湯はり混合弁５３、分岐点Ｂ１０２、第１混合弁５１、分岐点Ｂ１、減圧弁６２及び水抜き栓６６を経由して排水口Ｄ２に至るまでの経路）や、排水経路ｆ４２（逃がし弁８６から、分岐点Ｂ３、湯はり混合弁５３、分岐点Ｂ１０２、逆止弁７２、第２混合弁５２、貯湯タンク２０の上部流出部２０ｂ、下部流出部２０ｅ及び排水用三方弁３８を経由して排水口Ｄ１に至るまでの経路）等の内部を水が流れることにより貯湯タンク２０や配管の内部の水抜きが行われる。ここで、上記の各排水経路ｆ４１、４２には、排水口Ｄ１、Ｄ２から逃がし弁８６に向かう方向にだけ温水が流れる逆止弁が設けられていないことから、排水口Ｄ１、Ｄ２に向かって水が流れることができる。
【０１９２】
以上説明したように、給湯装置１００１では、貯湯タンク２０の異なる２ヵ所の間に形成される第１回路〜第５回路において対流を防止できる。また、貯湯タンク２０及び給湯・追焚回路４０内の各配管の内部の水を排水口Ｄ１、Ｄ２から排水することができる。
【０１９３】
なお、上記第１、第２実施形態及び第１実施形態の変形例１〜４では、全ての逆止弁の差圧Ｐが、貯湯タンク２０の上面に設けられた上部流出部と下面に設けられた下部流入部との間に回路が形成された場合（高さの差が最大）であって、上部流出部の近くに貯留される温水と下部流入部の近くに貯留される水との比重差が最大となった場合のように、「対流に起因する差圧」が最も大きくなった場合でも、その差圧によって開弁しないように設定される例について述べたが、本発明はこれに限定されず、逆止弁の差圧は、貯湯タンク２０の高さの異なる２ヵ所間の高さや、異なる２ヵ所の近くにそれぞれ貯留される温水や水の比重差に応じて設定できる。
【０１９４】
また、上記第１、第２実施形態及び第１実施形態の変形例１〜４では、貯湯タンク２０の上部に設けられた配管である、上部流出部２０ｃから湯はり混合弁５３に至る回路の配管、または、上部流出部２０ｂから第２混合弁５２に至る回路の配管に、逃がし弁８６が接続されているが、逃がし弁８６が、貯湯タンク２０の上部に接続されていてもよいし、貯湯タンク２０の上部の空間に連通した配管に接続されていてもよい。
【０１９５】
上述した第１実施形態の変形例４の給湯装置４０１では、貯湯タンク２０の上部流出部２０ｂと第２混合弁５２の間に逆止弁７３が配置される例について述べたが、この逆止弁７３に代えて、第１混合弁５１と第２混合弁５２の間に上述した逆止弁７２が配置されてもよい。これにより、貯湯タンク２０の上部流出部２０ｂから中間流出部２０ｄまたは下部流入部２０ｇに向かう方向の対流が防止される。また、変形例４の給湯装置４０１において、逆止弁７２、７３が併設されてもよい。
【０１９６】
上述した変形例４の給湯装置４０１では、分岐点Ｂ１と第１混合弁５１との間に逆止弁６５が配置される例について述べたが、この逆止弁６５に代えて、中間流出部２０ｄと第１混合弁５１との間に上述した逆止弁３６５が配置されてもよい。これにより、貯湯タンク２０の中間流出部２０ｄから下部流入部２０ｇに向かう方向の対流が防止される。また、変形例４の給湯装置４０１において、逆止弁６５、３６５が併設されてもよい。
【産業上の利用可能性】
【０１９７】
本発明を利用すれば、給湯端末に供給される温水の温度の変動を抑えることのできる給湯装置を得ることができる。
【符号の説明】
【０１９８】
１  給湯装置
２  ヒートポンプユニット（加熱手段）
３  貯湯ユニット
４  制御部
２０  貯湯タンク
２０ｂ  上部流出部（第１流出部）
２０ｃ  上部流出部（第３流出部）
２０ｄ  中間流出部（第２流出部）
５１  第１混合弁
５２  第２混合弁
５３  第３混合弁
６５  逆止弁
４ａ  給湯判断部
４ｂ  第１混合弁制御部（制御手段）
４ｃ  第２混合弁制御部（制御手段）
４ｄ  中間混合判断部（判断手段）
Ａ  カラン（第１給湯端末）
Ｂ  シャワー（第１給湯端末）
Ｃ  風呂（第２給湯端末）
【図１】
2011158161.tif 000003
【図２】
2011158161.tif 000004
【図３】
2011158161.tif 000005
【図４】
2011158161.tif 000006
【図５】
2011158161.tif 000007
【図６】
2011158161.tif 000008
【図７】
2011158161.tif 000009
【図８】
2011158161.tif 000010
【図９】
2011158161.tif 000011
【図１０】
2011158161.tif 000012
【図１１】
2011158161.tif 000013
【図１２】
2011158161.tif 000014